(57)【要約】【課題】運動種目が連続的に切り替わる競技において競技者が実施中の運動種目に関する情報を含む映像を生成するために利用可能な情報を生成することが可能なデータ収集装置を提供すること。【解決手段】競技者に装着され、位置情報衛星から送信された衛星信号に基づいて、前記競技者が第１の運動種目を実施中である第１運動状態と、前記競技者が第２の運動種目を実施中である第２運動状態と、を含む複数の状態を判別し、前記判別された状態を含む前記競技者の運動情報を生成する電子機器から送信された前記運動情報を受信し、前記受信した前記運動情報に基づいて、前記判別された状態に基づくオブジェクトに係る情報を含む第１の情報を生成する、データ収集装置。【選択図】図７
2018098573.tif 000002
【特許請求の範囲】
【請求項１】
競技者に装着され、位置情報衛星から送信された衛星信号に基づいて、前記競技者が第１の運動種目を実施中である第１運動状態と、前記競技者が第２の運動種目を実施中である第２運動状態と、を含む複数の状態を判別し、前記判別された状態を含む前記競技者の運動情報を生成する電子機器から送信された前記運動情報を受信し、
前記受信した前記運動情報に基づいて、前記判別された状態に基づくオブジェクトに係る情報を含む第１の情報を生成する、データ収集装置。
【請求項２】
請求項１において、
前記複数の状態は、前記競技者が第３の運動種目を実施中である第３運動状態を含む、データ収集装置。
【請求項３】
請求項２において、
前記複数の状態は、
前記第１運動状態から前記第２運動状態への移行途中である第１移行状態と、
前記第２運動状態から前記第３運動状態への移行途中である第２移行状態と、
を含む、データ収集装置。
【請求項４】
請求項２又は３において、
前記第１の運動種目は水泳であり、
前記第２の運動種目は自転車であり、
前記第３の運動種目はランニングである、データ収集装置。
【請求項５】
請求項１乃至４のいずれか一項において、
前記運動情報は、前記判別された状態における経過時間を含み、
前記第１の情報は、前記経過時間に係る情報を含む、データ収集装置。
【請求項６】
請求項１乃至５のいずれか一項において、
前記運動情報は、前記競技者の運動状況に係る情報を含み、
前記運動情報に基づいて、前記競技者の運動状況の変化を時系列に示すグラフに係る情報を含む第２の情報を生成する、データ収集装置。
【請求項７】
請求項１乃至６のいずれか一項において、
複数の前記競技者にそれぞれ装着される複数の前記電子機器から送信された複数の前記運動情報を受信し、
前記第１の情報は、前記複数の前記競技者と対応づけられた複数の前記オブジェクトの少なくとも１つに係る情報を含む、データ収集装置。
【請求項８】
請求項７において、
通信可能な表示機器から送信された信号に基づく選択情報を受信し、
前記受信した前記選択情報に基づいて、前記複数の前記オブジェクトの少なくとも１つに係る情報を選択する、データ収集装置。
【請求項９】
競技者が第１の運動種目を実施中である第１運動状態と、前記競技者が第２の運動種目を実施中である第２運動状態と、を含む複数の状態から判別された状態に基づくオブジェクトに係る情報を含む第１の情報をデータ収集装置から受信し、
前記受信した前記第１の情報に基づいて、前記オブジェクトを含む第１の映像を生成し、
前記生成した前記第１の映像を表示機器に配信する、映像生成装置。
【請求項１０】
請求項９において、
前記複数の状態は、前記競技者が第３の運動種目を実施中である第３運動状態を含む、映像生成装置。
【請求項１１】
請求項１０において、
前記複数の状態は、
前記第１運動状態から前記第２運動状態への移行途中である第１移行状態と、
前記第２運動状態から前記第３運動状態への移行途中である第２移行状態と、
を含む、映像生成装置。
【請求項１２】
請求項１０又は１１において、
前記第１の運動種目は水泳であり、
前記第２の運動種目は自転車であり、
前記第３の運動種目はランニングである、映像生成装置。
【請求項１３】
請求項９乃至１２のいずれか一項において、
前記第１の情報は、前記判別された状態における経過時間に係る情報を含み、
前記受信した前記第１の情報に基づいて、前記経過時間を含む前記第１の映像を生成する、映像生成装置。
【請求項１４】
請求項９乃至１３のいずれか一項において、
前記競技者の運動状況の変化を時系列に示すグラフに係る情報を含む第２の情報を前記データ収集装置から受信し、
前記受信した前記第２の情報に基づいて、前記グラフを含む第２の映像を生成し、
前記生成した前記第２の映像を前記表示機器に配信する、映像生成装置。
【請求項１５】
請求項９乃至１４のいずれか一項において、
前記第１の情報は、前記複数の前記競技者と対応づけられた複数の前記オブジェクトの少なくとも１つに係る情報を含み、
前記受信した前記第１の情報に基づいて、前記複数の前記オブジェクトを含む前記第１の映像を生成する、映像生成装置。
【請求項１６】
請求項１５において、
前記データ収集装置は、
前記表示機器から送信された信号に基づく選択情報を受信し、
前記受信した前記選択情報に基づいて、前記複数の前記オブジェクトの少なくとも１つに係る情報を選択する、映像生成装置。
【請求項１７】
競技者に装着される電子機器と、
データ収集装置と、
映像生成装置と、
を含み、
前記電子機器は、
位置情報衛星から受信した衛星信号に基づいて、前記競技者が第１の運動種目を実施中である第１運動状態と、前記競技者が第２の運動種目を実施中である第２運動状態と、を含む複数の状態を判別し、
前記判別された状態を含む前記競技者の運動情報を生成し、
前記生成した前記運動情報を前記データ収集装置に送信し、
前記データ収集装置は、
前記運動情報を前記電子機器から受信し、
前記受信した前記運動情報に基づいて、前記判別された状態に基づくオブジェクトに係る情報を含む第１の情報を生成し、
前記生成した前記第１の情報を前記映像生成装置に送信し、
前記映像生成装置は、
前記第１の情報を前記データ収集装置から受信し、
前記受信した前記第１の情報に基づいて、前記オブジェクトを含む第１の映像を生成し、
前記生成した前記第１の映像を表示機器に配信する、映像配信システム。
【請求項１８】
競技者に装着され、
位置情報衛星から送信された衛星信号に基づいて、
前記競技者が第１の運動種目を実施中である第１運動状態と、
前記競技者が第２の運動種目を実施中である第２運動状態と、
を含む複数の状態を判別し、
前記判別された状態を含む前記競技者の運動情報を生成する電子機器から送信された前記運動情報を受信するステップと、
前記受信した前記運動情報に基づいて、前記判別された状態に基づくオブジェクトに係る情報を含む第１の情報を生成するステップと、
をコンピューターに実行させる、プログラム。
【請求項１９】
競技者が第１の運動種目を実施中である第１運動状態と、前記競技者が第２の運動種目を実施中である第２運動状態と、を含む複数の状態から判別された状態に基づくオブジェクトに係る情報を含む第１の情報をデータ収集装置から受信するステップと、
前記受信した前記第１の情報に基づいて、前記オブジェクトを含む第１の映像を生成するステップと、
前記生成した前記第１の映像を表示機器に配信するステップと、
をコンピューターに実行させる、プログラム。
【請求項２０】
競技者に装着され、
位置情報衛星から送信された衛星信号に基づいて、
前記競技者が第１の運動種目を実施中である第１運動状態と、
前記競技者が第２の運動種目を実施中である第２運動状態と、
を含む複数の状態を判別し、
前記判別された状態を含む前記競技者の運動情報を生成する電子機器から送信された前記運動情報を受信するステップと、
前記受信した前記運動情報に基づいて、前記判別された状態に基づくオブジェクトに係る情報を含む第１の情報を生成するステップと、
をコンピューターに実行させるプログラムを記録した、コンピューターにより読み取り可能な記録媒体。
【請求項２１】
競技者が第１の運動種目を実施中である第１運動状態と、前記競技者が第２の運動種目を実施中である第２運動状態と、を含む複数の状態から判別された状態に基づくオブジェクトに係る情報を含む第１の情報をデータ収集装置から受信するステップと、
前記受信した前記第１の情報に基づいて、前記オブジェクトを含む第１の映像を生成するステップと、
前記生成した前記第１の映像を表示機器に配信するステップと、
をコンピューターに実行させるプログラムを記録した、コンピューターにより読み取り可能な記録媒体。
【発明の詳細な説明】
【技術分野】
【０００１】
本発明は、データ収集装置、映像生成装置、映像配信システム、プログラム及び記録媒体に関する。
【背景技術】
【０００２】
特許文献１には、スポーツや競技において、選手や動物の生体信号をリアルタイムで観戦者に情報配信媒体を介して配信する競技観覧システムが記載されている。
【先行技術文献】
【特許文献】
【０００３】
【特許文献１】特開２００４−１９２６３２号公報
【発明の概要】
【発明が解決しようとする課題】
【０００４】
しかしながら、特許文献１に記載の競技観覧システムを、例えば、トライアスロン競技のような選手が複数の運動種目を実施する競技に適用した場合、観戦者（視聴者）は、選手の生体情報を知ることはできるものの、選手がどの運動種目を実施中であるかを知ることはできない。すなわち、特許文献１に記載の競技観覧システムでは、選手が実施する運動種目が連続的に切り替わる競技のテレビ中継やインターネット中継において、選手が実施中の運動種目に関する情報を提供することができないという問題がある。
【０００５】
本発明は、以上のような問題点に鑑みてなされたものであり、本発明のいくつかの態様によれば、運動種目が連続的に切り替わる競技において競技者が実施中の運動種目に関する情報を含む映像を生成するために利用可能な情報を生成することが可能なデータ収集装置、プログラム及び記憶媒体を提供することができる。また、本発明のいくつかの態様によれば、運動種目が連続的に切り替わる競技において競技者が実施中の運動種目に関する情報を含む映像を生成して配信することが可能な映像生成装置、映像配信システム、プログラム及び記憶媒体を提供することができる。
【課題を解決するための手段】
【０００６】
本発明は前述の課題の少なくとも一部を解決するためになされたものであり、以下の態様または適用例として実現することが可能である。
【０００７】
［適用例１］
本適用例に係るデータ収集装置は、競技者に装着され、位置情報衛星から送信された衛星信号に基づいて、前記競技者が第１の運動種目を実施中である第１運動状態と、前記競技者が第２の運動種目を実施中である第２運動状態と、を含む複数の状態を判別し、前記判別された状態を含む前記競技者の運動情報を生成する電子機器から送信された前記運動情報を受信し、前記受信した前記運動情報に基づいて、前記判別された状態に基づくオブジェクトに係る情報を含む第１の情報を生成する。
【０００８】
本適用例に係るデータ収集装置は、電子機器から送信されて受信した競技者の運動情報に基づいて、競技者が第１の運動種目を実施中の第１運動状態であれば第１運動状態に基づくオブジェクトを含む第１の情報を生成し、競技者が第２の運動種目を実施中の第２運動状態であれば第２運動状態に基づくオブジェクトに係る情報を含む第１の情報を生成する。従って、本適用例に係るデータ収集装置によれば、運動種目が連続的に切り替わる競
技において競技者が実施中の運動種目に関する情報を含む映像を生成するために利用可能な情報を生成することができる。
【０００９】
また、本適用例に係るデータ収集装置によれば、競技者に装着される電子機器が、競技者が第１の運動種目を実施中である第１運動状態と競技者が第２の運動種目を実施中である第２運動状態とを判別することができるので、競技者が実施する運動種目が第１の運動種目から第２の運動種目に切り替わるときに競技者の手作業が不要である。従って、競技者は、競技に集中することができる。
【００１０】
［適用例２］
上記適用例に係るデータ収集装置において、前記複数の状態は、前記競技者が第３の運動種目を実施中である第３運動状態を含んでもよい。
【００１１】
本適用例に係るデータ収集装置は、電子機器から送信されて受信した競技者の運動情報に基づいて、競技者が第３の運動種目を実施中の第３運動状態であれば第３運動状態に基づくオブジェクトを含む第１の情報を生成する。従って、本適用例に係るデータ収集装置によれば、競技者が実施中の運動種目に関する情報を含む映像を生成するために利用可能な情報を生成することができる。
【００１２】
［適用例３］
上記適用例に係るデータ収集装置において、前記複数の状態は、前記第１運動状態から前記第２運動状態への移行途中である第１移行状態と、前記第２運動状態から前記第３運動状態への移行途中である第２移行状態と、を含んでもよい。
【００１３】
本適用例に係るデータ収集装置は、電子機器から送信されて受信した競技者の運動情報に基づいて、競技者が第１運動状態から第２運動状態への移行途中の第１移行状態であれば第１移行状態に基づくオブジェクトを含む第１の情報を生成し、競技者が第２運動状態から第３運動状態への移行途中の第２移行状態であれば第２移行状態に基づくオブジェクトを含む第１の情報を生成する。従って、本適用例に係るデータ収集装置によれば、競技者が実施中あるいは移行中の運動種目に関する情報を含む映像を生成するために利用可能な情報を生成することができる。
【００１４】
［適用例４］
上記適用例に係るデータ収集装置において、前記第１の運動種目は水泳であり、前記第２の運動種目は自転車であり、前記第３の運動種目はランニングであってもよい。
【００１５】
本適用例に係るデータ収集装置によれば、トライアスロン競技において、競技者が水泳、自転車、ランのいずれを実施中か、あるいは、競技者が水泳から自転車に移行中か、競技者が自転車からランニングに移行中かに関する情報を含む映像を生成するために利用可能な情報を生成することができる。
【００１６】
［適用例５］
上記適用例に係るデータ収集装置において、前記運動情報は、前記判別された状態における経過時間を含み、前記第１の情報は、前記経過時間に係る情報を含んでもよい。
【００１７】
本適用例に係るデータ収集装置によれば、競技者が実施中の運動種目に関する情報や実施中の運動種目における経過時間の情報を含む映像を生成するために利用可能な情報を生成することができる。
【００１８】
［適用例６］
上記適用例に係るデータ収集装置において、前記運動情報は、前記競技者の運動状況に係る情報を含み、前記運動情報に基づいて、前記競技者の運動状況の変化を時系列に示すグラフに係る情報を含む第２の情報を生成してもよい。
【００１９】
運動状況は、競技者の生体情報（心拍数、脈拍数等）や成績情報（ペース、スピード、ピッチ、ストライド、経過時間等）であってもよい。
【００２０】
本適用例に係るデータ収集装置は、電子機器から送信されて受信した競技者の運動情報に基づいて、競技者の運動状況の変化を時系列に示すグラフに係る情報を含む第２の情報を生成する。従って、本適用例に係るデータ収集装置によれば、競技者の運動状況のトレンドの情報を含む映像を生成するために利用可能な情報を生成することができる。
【００２１】
［適用例７］
上記適用例に係るデータ収集装置は、複数の前記競技者にそれぞれ装着される複数の前記電子機器から送信された複数の前記運動情報を受信し、前記第１の情報は、前記複数の前記競技者と対応づけられた複数の前記オブジェクトの少なくとも１つに係る情報を含んでもよい。
【００２２】
本適用例に係るデータ収集装置によれば、複数の競技者の各々が実施中の運動種目に関する情報を含む映像を生成するために利用可能な情報を生成することができる。
【００２３】
［適用例８］
上記適用例に係るデータ収集装置は、通信可能な表示機器から送信された信号に基づく選択情報を受信し、前記受信した前記選択情報に基づいて、前記複数の前記オブジェクトの少なくとも１つに係る情報を選択してもよい。
【００２４】
本適用例に係るデータ収集装置によれば、表示機器の使用者（視聴者）によって選択された競技者が実施中の運動種目に関する情報を含む映像を生成するために利用可能な情報を生成することができる。
【００２５】
［適用例９］
本適用例に係る映像生成装置は、競技者が第１の運動種目を実施中である第１運動状態と、前記競技者が第２の運動種目を実施中である第２運動状態と、を含む複数の状態から判別された状態に基づくオブジェクトに係る情報を含む第１の情報をデータ収集装置から受信し、前記受信した前記第１の情報に基づいて、前記オブジェクトを含む第１の映像を生成し、前記生成した前記第１の映像を表示機器に配信する。
【００２６】
本適用例に係る映像生成装置は、データ収集装置から送信されて受信した第１の情報に基づいて、競技者が第１の運動種目を実施中の第１運動状態に基づくオブジェクトや競技者が第２の運動種目を実施中の第２運動状態に基づくオブジェクトを含む第１の映像を生成し、表示機器に配信する。従って、本適用例に係る映像生成装置によれば、運動種目が連続的に切り替わる競技において競技者が実施中の運動種目に関する情報を含む映像を生成して表示機器に配信することができる。
【００２７】
［適用例１０］
上記適用例に係る映像生成装置において、前記複数の状態は、前記競技者が第３の運動種目を実施中である第３運動状態を含んでもよい。
【００２８】
本適用例に係る映像生成装置は、データ収集装置から送信されて受信した第１の情報に基づいて、競技者が第３の運動種目を実施中の第３運動状態に基づくオブジェクトを含む
第１の映像を生成し、表示機器に配信する。従って、本適用例に係る映像生成装置によれば、競技者が実施中の運動種目に関する情報を含む映像を生成して表示機器に配信することができる。
【００２９】
［適用例１１］
上記適用例に係る映像生成装置において、前記複数の状態は、前記第１運動状態から前記第２運動状態への移行途中である第１移行状態と、前記第２運動状態から前記第３運動状態への移行途中である第２移行状態と、を含んでもよい。
【００３０】
本適用例に係る映像生成装置は、データ収集装置から送信されて受信した第１の情報に基づいて、競技者が第１運動状態から第２運動状態への移行途中の第１移行状態に基づくオブジェクトや競技者が第２運動状態から第３運動状態への移行途中の第２移行状態に基づくオブジェクトを含む第１の映像を生成し、表示機器に配信する。従って、本適用例に係る映像生成装置によれば、競技者が実施中あるいは移行中の運動種目に関する情報を含む映像を生成して表示機器に配信することができる。
【００３１】
［適用例１２］
上記適用例に係る映像生成装置において、前記第１の運動種目は水泳であり、前記第２の運動種目は自転車であり、前記第３の運動種目はランニングであってもよい。
【００３２】
本適用例に係る映像生成装置によれば、トライアスロン競技において、競技者が水泳、自転車、ランのいずれを実施中か、あるいは、競技者が水泳から自転車に移行中か、競技者が自転車からランニングに移行中かに関する情報を含む映像を生成して表示機器に配信することができる。
【００３３】
［適用例１３］
上記適用例に係る映像生成装置において、前記第１の情報は、前記判別された状態における経過時間に係る情報を含み、前記受信した前記第１の情報に基づいて、前記経過時間を含む前記第１の映像を生成してもよい。
【００３４】
本適用例に係る映像生成装置によれば、競技者が実施中の運動種目に関する情報や実施中の運動種目における経過時間の情報を含む映像を生成して表示機器に配信することができる。
【００３５】
［適用例１４］
上記適用例に係る映像生成装置は、前記競技者の運動状況の変化を時系列に示すグラフに係る情報を含む第２の情報を前記データ収集装置から受信し、前記受信した前記第２の情報に基づいて、前記グラフを含む第２の映像を生成し、前記生成した前記第２の映像を前記表示機器に配信してもよい。
【００３６】
本適用例に係る映像生成装置は、データ収集装置から送信されて受信した第２の情報に基づいて、競技者の運動状況の変化を時系列に示すグラフを含む第２の映像を生成し、表示機器に配信する。従って、本適用例に係る映像生成装置によれば、競技者の運動状況のトレンドの情報を含む映像を生成して表示機器に配信することができる。
【００３７】
［適用例１５］
上記適用例に係る映像生成装置において、前記第１の情報は、前記複数の前記競技者と対応づけられた複数の前記オブジェクトの少なくとも１つに係る情報を含み、前記受信した前記第１の情報に基づいて、前記複数の前記オブジェクトを含む前記第１の映像を生成してもよい。
【００３８】
本適用例に係る映像生成装置によれば、複数の競技者の各々が実施中の運動種目に関する情報を含む映像を生成して表示機器に配信することができる。
【００３９】
［適用例１６］
上記適用例に係る映像生成装置において、前記データ収集装置は、前記表示機器から送信された信号に基づく選択情報を受信し、前記受信した前記選択情報に基づいて、前記複数の前記オブジェクトの少なくとも１つに係る情報を選択してもよい。
【００４０】
本適用例に係る映像生成装置によれば、表示機器の使用者（視聴者）によって選択された競技者が実施中の運動種目に関する情報を含む映像を生成して当該表示機器に配信することができる。
【００４１】
［適用例１７］
本適用例に係る映像配信システムは、競技者に装着される電子機器と、データ収集装置と、映像生成装置と、を含み、前記電子機器は、位置情報衛星から受信した衛星信号に基づいて、前記競技者が第１の運動種目を実施中である第１運動状態と、前記競技者が第２の運動種目を実施中である第２運動状態と、を含む複数の状態を判別し、前記判別された状態を含む前記競技者の運動情報を生成し、前記生成した前記運動情報を前記データ収集装置に送信し、前記データ収集装置は、前記運動情報を前記電子機器から受信し、前記受信した前記運動情報に基づいて、前記判別された状態に基づくオブジェクトに係る情報を含む第１の情報を生成し、前記生成した前記第１の情報を前記映像生成装置に送信し、前記映像生成装置は、前記第１の情報を前記データ収集装置から受信し、前記受信した前記第１の情報に基づいて、前記オブジェクトを含む第１の映像を生成し、前記生成した前記第１の映像を表示機器に配信する。
【００４２】
本適用例に係る映像配信システムでは、データ収集装置は、電子機器から送信されて受信した競技者の運動情報に基づいて、競技者が第１の運動種目を実施中の第１運動状態であれば第１運動状態に基づくオブジェクトを含む第１の情報を生成し、競技者が第２の運動種目を実施中の第２運動状態であれば第２運動状態に基づくオブジェクトに係る情報を含む第１の情報を生成し、映像生成装置に送信する。また、映像生成装置は、データ収集装置から送信されて受信した第１の情報に基づいて、競技者が第１の運動種目を実施中の第１運動状態に基づくオブジェクトや競技者が第２の運動種目を実施中の第２運動状態に基づくオブジェクトを含む第１の映像を生成し、表示機器に配信する。従って、本適用例に係る映像配信システムによれば、運動種目が連続的に切り替わる競技において競技者が実施中の運動種目に関する情報を含む映像を生成して表示機器に配信することができる。
【００４３】
また、本適用例に係る映像配信システムでは、競技者に装着される電子機器が、競技者が第１の運動種目を実施中である第１運動状態と競技者が第２の運動種目を実施中である第２運動状態とを判別することができるので、競技者が実施する運動種目が第１の運動種目から第２の運動種目に切り替わるときに競技者の手作業が不要である。従って、競技者は、競技に集中することができる。
【００４４】
［適用例１８］
本適用例に係るプログラムは、競技者に装着され、位置情報衛星から送信された衛星信号に基づいて、前記競技者が第１の運動種目を実施中である第１運動状態と、前記競技者が第２の運動種目を実施中である第２運動状態と、を含む複数の状態を判別し、前記判別された状態を含む前記競技者の運動情報を生成する電子機器から送信された前記運動情報を受信するステップと、前記受信した前記運動情報に基づいて、前記判別された状態に基づくオブジェクトに係る情報を含む第１の情報を生成するステップと、をコンピューター
に実行させる。
【００４５】
本適用例に係るプログラムを実行するコンピューターは、電子機器から送信されて受信した競技者の運動情報に基づいて、競技者が第１の運動種目を実施中の第１運動状態であれば第１運動状態に基づくオブジェクトを含む第１の情報を生成し、競技者が第２の運動種目を実施中の第２運動状態であれば第２運動状態に基づくオブジェクトに係る情報を含む第１の情報を生成する。従って、本適用例に係るプログラムによれば、運動種目が連続的に切り替わる競技において競技者が実施中の運動種目に関する情報を含む映像を生成するために利用可能な情報を生成することができる。
【００４６】
また、本適用例に係るプログラムによれば、競技者に装着される電子機器が、競技者が第１の運動種目を実施中である第１運動状態と競技者が第２の運動種目を実施中である第２運動状態とを判別することができるので、競技者が実施する運動種目が第１の運動種目から第２の運動種目に切り替わるときに競技者の手作業が不要である。従って、競技者は、競技に集中することができる。
【００４７】
［適用例１９］
本適用例に係るプログラムは、競技者が第１の運動種目を実施中である第１運動状態と、前記競技者が第２の運動種目を実施中である第２運動状態と、を含む複数の状態から判別された状態に基づくオブジェクトに係る情報を含む第１の情報をデータ収集装置から受信するステップと、前記受信した前記第１の情報に基づいて、前記オブジェクトを含む第１の映像を生成するステップと、前記生成した前記第１の映像を表示機器に配信するステップと、をコンピューターに実行させる。
【００４８】
本適用例に係るプログラムを実行するコンピューターは、データ収集装置から送信されて受信した第１の情報に基づいて、競技者が第１の運動種目を実施中の第１運動状態に基づくオブジェクトや競技者が第２の運動種目を実施中の第２運動状態に基づくオブジェクトを含む第１の映像を生成し、表示機器に配信する。従って、本適用例に係るプログラムによれば、運動種目が連続的に切り替わる競技において競技者が実施中の運動種目に関する情報を含む映像を生成して表示機器に配信することができる。
【００４９】
［適用例２０］
本適用例に係る記録媒体は、競技者に装着され、位置情報衛星から送信された衛星信号に基づいて、前記競技者が第１の運動種目を実施中である第１運動状態と、前記競技者が第２の運動種目を実施中である第２運動状態と、を含む複数の状態を判別し、前記判別された状態を含む前記競技者の運動情報を生成する電子機器から送信された前記運動情報を受信するステップと、前記受信した前記運動情報に基づいて、前記判別された状態に基づくオブジェクトに係る情報を含む第１の情報を生成するステップと、をコンピューターに実行させるプログラムを記録した、コンピューターにより読み取り可能な記録媒体である。
【００５０】
本適用例に係る記録媒体に記録されているプログラムを実行するコンピューターは、電子機器から送信されて受信した競技者の運動情報に基づいて、競技者が第１の運動種目を実施中の第１運動状態であれば第１運動状態に基づくオブジェクトを含む第１の情報を生成し、競技者が第２の運動種目を実施中の第２運動状態であれば第２運動状態に基づくオブジェクトに係る情報を含む第１の情報を生成する。従って、本適用例に係る記録媒体によれば、運動種目が連続的に切り替わる競技において競技者が実施中の運動種目に関する情報を含む映像を生成するために利用可能な情報を生成することができる。
【００５１】
また、本適用例に係る記録媒体によれば、競技者に装着される電子機器が、競技者が第
１の運動種目を実施中である第１運動状態と競技者が第２の運動種目を実施中である第２運動状態とを判別することができるので、競技者が実施する運動種目が第１の運動種目から第２の運動種目に切り替わるときに競技者の手作業が不要である。従って、競技者は、競技に集中することができる。
【００５２】
［適用例２１］
本適用例に係る記録媒体は、競技者が第１の運動種目を実施中である第１運動状態と、前記競技者が第２の運動種目を実施中である第２運動状態と、を含む複数の状態から判別された状態に基づくオブジェクトに係る情報を含む第１の情報をデータ収集装置から受信するステップと、前記受信した前記第１の情報に基づいて、前記オブジェクトを含む第１の映像を生成するステップと、前記生成した前記第１の映像を表示機器に配信するステップと、をコンピューターに実行させるプログラムを記録した、コンピューターにより読み取り可能な記録媒体である。
【００５３】
本適用例に係る記録媒体に記録されているプログラムを実行するコンピューターは、データ収集装置から送信されて受信した第１の情報に基づいて、競技者が第１の運動種目を実施中の第１運動状態に基づくオブジェクトや競技者が第２の運動種目を実施中の第２運動状態に基づくオブジェクトを含む第１の映像を生成し、表示機器に配信する。従って、本適用例に係る記録媒体によれば、運動種目が連続的に切り替わる競技において競技者が実施中の運動種目に関する情報を含む映像を生成して表示機器に配信することができる。
【図面の簡単な説明】
【００５４】
【図１】本実施形態の映像配信システムの構成例を示す図。
【図２】本実施形態の映像配信システムの概要についての説明図。
【図３】トライアスロン競技に使用されるコースの一例を示す図。
【図４】競技者端末の機能ブロック図の一例。
【図５】競技者端末の処理部が行う一部の処理の手順の一例を示すフローチャート図。
【図６】第１実施形態における状態判別処理の詳細の一例を示すフローチャート図。
【図７】データ収集装置の機能ブロック図の一例。
【図８】判別された状態に基づくオブジェクトの一例を示す図。
【図９】データ収集装置の処理部が行う一部の処理の手順の一例を示すフローチャート図。
【図１０】映像生成装置の機能ブロック図の一例。
【図１１】映像生成装置の処理部が行う一部の処理の手順の一例を示すフローチャート図。
【図１２】表示機器に表示される映像の一例を示す図。
【図１３】表示機器に表示される映像の一例を示す図。
【図１４】表示機器に表示される映像の一例を示す図。
【図１５】表示機器に表示される映像の一例を示す図。
【図１６】表示機器に表示される映像の一例を示す図。
【図１７】状態判別処理の第１変形例におけるスイム判定処理の一例を示すフローチャート図。
【図１８】状態判別処理の第１変形例におけるトランジション１判定処理の一例を示すフローチャート図。
【図１９】状態判別処理の第１変形例におけるバイク判定処理の一例を示すフローチャート図。
【図２０】状態判別処理の第１変形例におけるトランジション２判定処理の一例を示すフローチャート図。
【図２１】状態判別処理の第１変形例におけるラン判定処理の一例を示すフローチャート図。
【図２２】状態判別処理の第２変形例におけるスイム判定処理の一例を示すフローチャート図。
【図２３】状態判別処理の第２変形例におけるトランジション１判定処理の一例を示すフローチャート図。
【図２４】状態判別処理の第２変形例におけるバイク判定処理の一例を示すフローチャート図。
【図２５】状態判別処理の第２変形例におけるトランジション２判定処理の一例を示すフローチャート図。
【図２６】状態判別処理の第２変形例におけるラン判定処理の一例を示すフローチャート図。
【図２７】状態判別処理の第３変形例のための位置の登録についての一例を示す図。
【図２８】状態判別処理の第３変形例のフローチャート図。
【発明を実施するための形態】
【００５５】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００５６】
以下では、複数の競技種目（運動種目）を含む競技としてトライアスロン競技を実施する競技者の映像を配信する映像配信システムを例に挙げて説明する。
【００５７】
１．本実施形態
１−１．映像配信システムの構成
図１は、本実施形態の映像配信システム１の構成例を示す図である。図１に示すように、映像配信システム１は、競技者端末３、データ収集装置４及び映像生成装置８を含んで構成されている。データ収集装置４及び映像生成装置８は、例えば、インターネット、ＬＡＮ（Local Area Network）、テレビ中継用の回線（地上回線、衛星回線等）などで構成されたネットワーク６に接続されている。また、映像配信システム１は、１又は複数の表示機器９や１又は複数のカメラ１０を含んでもよい。
【００５８】
本実施形態では、複数の競技者２の各々が、競技者端末３（「電子機器」の一例）を携帯し、トライアスロン競技を実施する。トライアスロン競技は、スイム（水泳）、バイク（自転車）、ラン（ランニング）の３つの競技種目（運動種目）によって構成され、競技者２は、スイム、バイク、ランの順に各種目を実施する。
【００５９】
図２に示すように、本実施形態では、競技者端末３は、リスト型（腕時計型）の電子機器であり、競技者２の手首等に装着される。なお、図２は、競技者２がランを実施しているときの図である。
【００６０】
図３は、トライアスロン競技に使用されるコースの一例を示す図であり、実線Ｃ１はスイムのコースを表し、破線Ｃ２はバイクのコースを表し、一点鎖線Ｃ３はランのコースを表す。また、Ｓ１はスイムのスタート地点（トライアスロン競技のスタート地点）を表し、Ｓ２はバイクのスタート地点を表し、Ｓ３はランのスタート地点を表す。また、Ｇ１はスイムのゴール地点を表し、Ｇ２はバイクのゴール地点を表し、Ｇ３はランのゴール地点（トライアスロン競技のゴール地点）を表す。また、ＴＡはトランジションエリアを表す。
【００６１】
トライアスロン競技では、例えば、競技者２がスイムのスタート地点Ｓ１を出発してからバイクのスタート地点Ｓ２を通過するまでの経過時間がスイムに要した時間（スイム時
間）とみなされ、競技者２がバイクのスタート地点Ｓ２を通過してからランのスタート地点Ｓ３を通過するまでの経過時間がバイクに要した時間（バイク時間）とみなされ、競技者２がランのスタート地点Ｓ３を通過してからランのゴール地点Ｇ３を通過するまでの経過時間がランに要した時間（ラン時間）とみなされる。この場合、競技者２がスイムのゴール地点Ｇ１を通過してからバイクのスタート地点Ｓ２を通過するまでの経過時間（トランジション１時間）、すなわち、競技者２がスイムのゴール地点Ｇ１からトランジションエリアＴＡまで移動する時間とトランジションエリアＴＡにおいて着替え（例えば、バイクシューズ、ヘルメット、サングラス等の装着）等に要する時間とバイクのスタート地点Ｓ２まで移動する時間の和は、スイム時間に含まれる。同様に、競技者２がバイクのゴール地点Ｇ２を通過してからランのスタート地点Ｓ３を通過するまでの経過時間（トランジション２時間）、すなわち、競技者２がバイクのゴール地点Ｇ２からトランジションエリアＴＡにおける着替え場所まで移動する時間と着替え（例えば、ヘルメット、サングラス、バイクシューズ等の脱衣やランニングシューズ等の装着）等に要する時間とランのスタート地点Ｓ３まで移動する時間の和は、バイク時間に含まれる。そして、スイム時間とバイク時間とラン時間の和が総合タイムとなる。
【００６２】
本実施形態では、競技者２は、トライアスロン競技を開始するとき（スタート地点Ｓ１においてスイムを開始するとき）に、競技者端末３に対して計測開始操作を行う。
【００６３】
競技者端末３は、計時部１３０（後述する図４参照）を内蔵しており、計測開始操作が行われてからの経過時間、すなわち、競技者２がトライアスロン競技を開始してからの総合経過時間Ｔｔｏｔａｌを計測し、計測した総合経過時間Ｔｔｏｔａｌの情報を表示部１５０（図４参照）等に順次（リアルタイムに）表示する。
【００６４】
また、競技者端末３は、ＧＰＳ（Global Positioning System）衛星７（「位置情報衛星」の一例）から送信された衛星信号に基づいて、競技者２がスイム（「第１の運動種目」の一例）を実施中である状態「スイム」（「第１運動状態」の一例）、競技者２がバイク（「第２の運動種目」の一例）を実施中である状態「バイク」（「第２運動状態」の一例）、及び、競技者２がラン（「第３の運動種目」の一例）を実施中である状態「ラン」（「第３運動状態」の一例）を含む複数の状態を判別する。特に、本実施形態では、競技者端末３は、ＧＰＳ衛星７から送信された衛星信号に基づいて得られる位置情報と、加速度センサー１１３（図４参照）の出力信号及び圧力センサー１１２（図４参照）の出力信号の少なくとも何れかと、に基づいて、競技者２の複数の状態を判別する。本実施形態では、競技者端末３が判別する複数の状態は、「スイム」から「バイク」への移行途中である状態「トランジション１」（「第１移行状態」の一例）、及び、「バイク」から「ラン」への移行途中である状態「トランジション２」（「第２移行状態」の一例）も含む。すなわち、本実施形態では、競技者端末３は、「スイム」、「トランジション１」、「バイク」、「トランジション２」及び「ラン」の５つの状態を判別する。
【００６５】
そして、競技者端末３は、「スイム」が開始してから終了するまでの経過時間Ｔｓｗｉｍ、「トランジション１」が開始してから終了するまでの経過時間Ｔｔｒａｎ１、「バイク」が開始してから終了するまでの経過時間Ｔｂｉｋｅ、「トランジション２」が開始してから終了するまでの経過時間Ｔｔｒａｎ２及び「ラン」が開始してから終了するまでの経過時間Ｔｒｕｎを計測し、判別した各状態や計測した各状態の経過時間の情報を表示部１５０等に順次（リアルタイムに）表示する。
【００６６】
また、競技者端末３は、各種のセンサーの出力信号に基づいて、競技者２のスピード、ペース、距離、軌跡、脈拍、心拍、ピッチ（ランニングピッチ）、ストライド（ランニングストライド）、水泳ストローク等の情報を生成する。
【００６７】
そして、競技者端末３は、競技者２がトライアスロン競技を実施中に、競技者２の運動情報（総合経過時間Ｔｔｏｔａｌ、経過時間Ｔｓｗｉｍ，Ｔｔｒａｎ１，Ｔｂｉｋｅ，Ｔｔｒａｎ２，Ｔｒｕｎ、判別した状態、スピード、ペース、距離、軌跡、脈拍、心拍、ピッチ、ストライド、水泳ストローク等）を、内蔵する記憶部１４０（図４参照）に順次記憶させる。
【００６８】
本実施形態では、競技者２は、トライアスロン競技を終了するとき（ゴール地点Ｇ３を通過したとき）に、競技者端末３に対して計測終了操作を行う。
【００６９】
競技者端末３は、計測終了操作が行われると、総合経過時間Ｔｔｏｔａｌの計測処理、「スイム」、「トランジション１」、「バイク」、「トランジション２」及び「ラン」の５つの状態の判別処理及び各状態の経過時間Ｔｓｗｉｍ，Ｔｔｒａｎ１，Ｔｂｉｋｅ，Ｔｔｒａｎ２，Ｔｒｕｎの計測処理を終了し、総合経過時間Ｔｔｏｔａｌ及び各経過時間Ｔｓｗｉｍ，Ｔｔｒａｎ１，Ｔｂｉｋｅ，Ｔｔｒａｎ２，Ｔｒｕｎを内蔵の記憶部１４０（図４参照）に記憶させる。記憶部１４０に記憶される総合経過時間Ｔｔｏａｌは、先に説明した「総合タイム」に相当する。また、記憶部１４０に記憶される経過時間Ｔｓｗｉｍと経過時間Ｔｔｒａｎ１との和は、先に説明した「スイム時間」に相当する。また、記憶部１４０に記憶される経過時間Ｔｂｉｋｅと経過時間Ｔｔｒａｎ２との和は、先に説明した「バイク時間」に相当する。また、記憶部１４０に記憶される経過時間Ｔｒｕｎは、先に説明した「ラン時間」に相当する。また、記憶部１４０に記憶される経過時間Ｔｔｒａｎ１は、先に説明した「トランジション１時間」に相当する。また、記憶部１４０に記憶される経過時間Ｔｔｒａｎ２は、先に説明した「トランジション２時間」に相当する。
【００７０】
本実施形態では、競技者端末３は、情報端末５を介して、ネットワーク６に接続可能である。そして、競技者２がトライアスロン競技を開始した後、競技者端末３は、競技者端末３の記憶部１４０に記憶されている競技者２の運動情報を、情報端末５及びネットワーク６を介して、データ収集装置４に送信する。情報端末５は、例えば、スマートフォンやパーソナルコンピューターであってもよい。
【００７１】
データ収集装置４は、競技者端末３から送信された競技者２の運動情報を、ネットワーク６を介して受信し、受信した運動情報を記憶部２２０あるいは記録媒体２３０（図７参照）に記憶（保存）する。また、データ収集装置４は、トライアスロン競技に関する各種の情報（トライアスロン競技のコースの地図情報や気象情報、「スイム」、「トランジション１」、「バイク」、「トランジション２」及び「ラン」の各状態を示すオブジェクト情報、競技者２のコスチューム情報等）を記憶部２２０あるいは記録媒体２３０に記憶している。そして、データ収集装置４は、受信して記憶部２２０あるいは記録媒体２３０に記憶された運動情報や各種の情報に基づいて、映像生成装置８からの要求に応じた映像コンテンツ情報を生成する。特に、本実施形態では、データ収集装置４は、記憶部２２０あるいは記録媒体２３０に記憶された運動情報に基づいて、判別された状態（「スイム」、「トランジション１」、「バイク」、「トランジション２」及び「ラン」の各状態）に基づくオブジェクトに係る情報を含む第１の映像コンテンツ情報（「第１の情報」の一例）を生成する。この第１の映像コンテンツ情報は、判別された状態における経過時間Ｔｓｗｉｍ，Ｔｔｒａｎ１，Ｔｂｉｋｅ，Ｔｔｒａｎ２，Ｔｒｕｎに係る情報を含んでもよい。また、データ収集装置４は、記憶部２２０あるいは記録媒体２３０に記憶された運動情報に基づいて、競技者２の運動状況の変化を時系列に示すグラフに係る情報を含む第２の映像コンテンツ情報（「第２の情報」の一例）を生成してもよい。そして、データ収集装置４は、生成した映像コンテンツ情報を、ネットワーク６を介して映像生成装置８に送信する。データ収集装置４は、例えば、トライアスロン競技の大会主催者や競技者端末３のメーカー等が所有するサーバーであってもよい。
【００７２】
映像生成装置８は、１又は複数のカメラ１０によって撮影された、複数の競技者２が参加するトライアスロン競技の映像情報と、データ収集装置４が生成した映像コンテンツ情報とに基づき、テレビ中継あるいはインターネット中継等による生放送のための映像を生成する。特に、本実施形態では、映像生成装置８は、第１の映像コンテンツ情報を、ネットワーク６を介してデータ収集装置４から受信し、受信した第１の映像コンテンツ情報に基づいて、判別された状態に基づくオブジェクトを含む第１の映像を生成する。第１の映像は、例えば、トライアスロン競技の動画像と、判別された競技者２の状態に基づくオブジェクトとを含む映像であってもよい。また、映像生成装置８は、第２の映像コンテンツ情報を、ネットワーク６を介してデータ収集装置４から受信し、受信した第２の映像コンテンツ情報に基づいて、競技者２の運動状況の変化を時系列に示すグラフを含む第２の映像を生成してもよい。第２の映像は、例えば、トライアスロン競技の動画像と、競技者２の運動状況の変化を時系列に示すグラフとを含む映像であってもよい。そして、映像生成装置８は、生成した第１の映像や第２の映像を、ネットワーク６を介して１又は複数の表示機器９に配信する。映像生成装置８は、放送事業者や映像配信事業者等が所有するサーバーであってもよい。
【００７３】
表示機器９は、映像生成装置８が生成した映像（第１の映像や第２の映像等）を、ネットワーク６を介して映像生成装置８から受信し、受信した映像を不図示の表示部に表示する。表示機器９は、通信可能（双方向通信が可能）な表示機器であり、ネットワーク６を介して、各種の信号（データ情報（例えば、データ放送により放送される情報）の表示を要求する信号やデータ情報の表示対象となる競技者２を選択するための信号等）を映像生成装置８に送信し、映像生成装置８は、当該各種の信号に応じた映像コンテンツ情報をデータ収集装置４から取得して映像を生成して表示機器９に配信する。そして、視聴者は、表示機器９に表示されるトライアスロン競技の映像を観賞する。表示機器９は、テレビ受像機等であってもよい。
【００７４】
１−２．競技者端末の構成及び処理
図４は、競技者端末３の機能ブロック図の一例である。図４に示すように、競技者端末３は、処理部１００、ＧＰＳセンサー１１０、地磁気センサー１１１、圧力センサー１１２、加速度センサー１１３、角速度センサー１１４、脈拍センサー１１５、温度センサー１１６、操作部１２０、計時部１３０、記憶部１４０、表示部１５０、音出力部１６０、通信部１７０、バッテリー１８０などを含んで構成される。但し、競技者端末３の構成は、これらの構成要素の一部を削除又は変更し、あるいは他の構成要素を追加したものであってもよい。
【００７５】
ＧＰＳセンサー１１０は、ＧＰＳ衛星７から送信された衛星信号に基づいて位置情報を生成する。例えば、ＧＰＳセンサー１１０は、ＧＰＳ衛星７から送信された衛星信号を不図示のアンテナで受信し、当該衛星信号から航法メッセージを復調し、当該航法メッセージに基づき競技者端末３の位置などを示す位置情報である測位データ（緯度、経度、高度、速度ベクトルなどのデータ）を生成して出力するＧＰＳ受信機であってもよい。
【００７６】
地磁気センサー１１１は、地球の磁場（地磁気）を検出して出力するセンサーであり、例えば、互いに直交する３つの軸方向の磁束密度を示す地磁気信号を生成して出力する。地磁気センサー１１１には、例えば、ＭＲ（Magnet resistive）素子、ＭＩ（Magnet impedance）素子、ホール素子などが用いられる。
【００７７】
圧力センサー１１２は、周辺の圧力（気圧、水圧、風圧等）を検出して出力するセンサーであり、例えば、振動片の共振周波数の変化を利用する方式（振動方式）の感圧素子を有している。この感圧素子は、例えば、水晶、ニオブ酸リチウム、タンタル酸リチウム等の圧電材料で形成された圧電振動子であり、例えば、音叉型振動子、双音叉型振動子、Ａ
Ｔ振動子（厚みすべり振動子）、ＳＡＷ共振子などが適用される。或いは、圧力センサー１１２は、半導体製造技術を用いて製造されたＭＥＭＳ型圧力センサーであってもよい。例えば、圧力センサー１１２は、受圧により撓み変形するダイヤフラム部と、ダイヤフラム部の撓みを検出する歪検出素子と、を備えている。ダイヤフラム部は、例えば、シリコンで構成されている。歪検出素子は、例えば、ピエゾ抵抗素子である。
【００７８】
加速度センサー１１３は、互いに交差する（理想的には直交する）３軸方向の各々の加速度を検出し、検出した３軸加速度の大きさ及び向きに応じた信号（加速度信号）を出力する。
【００７９】
角速度センサー１１４は、互いに交差する（理想的には直交する）３軸方向の各々の角速度を検出し、検出した３軸角速度の大きさ及び向きに応じた信号（角速度信号）を出力する。
【００８０】
なお、圧力センサー１１２の出力信号（圧力信号）、加速度センサー１１３の出力信号（加速度信号）及び角速度センサー１１４の出力信号（角速度信号）の少なくとも１つは、ＧＰＳセンサー１１０による測位データに含まれる位置の情報を補正するために用いられてもよい。
【００８１】
脈拍センサー１１５は、競技者２の脈拍を示す信号を生成して出力するセンサーであり、例えば、適当な波長を有した計測光を皮下の血管に向けて照射するＬＥＤ（Light Emitting Diode）光源などの光源と、当該計測光に応じて血管で発生した光の強度変化を検出する受光素子とを有している。例えば、光の強度変化波形（脈波）を周波数解析など公知の手法により処理することで、脈拍数（１分間当たりの脈動数）を計測することができる。なお、不整脈や脈欠損等がない限り、心拍数（１分間当たりの拍動数）と脈拍数はほぼ同じであるといわれているため、脈拍センサー１１５による心拍数を計測することができる。脈拍センサー１１５としては、光源及び受光素子からなる光電センサーに代えて、超音波により血管の収縮を検出して脈拍数（心拍数）を計測する超音波センサーを採用してもよく、電極から微弱電流を体内に流して脈拍数（心拍数）を計測するセンサー等を採用してもよい。
【００８２】
温度センサー１１６は、周辺の温度に応じた信号（温度信号）を出力するセンサーである。
【００８３】
操作部１２０は、例えばボタン、キー、マイク、タッチパネル、音声認識機能（不図示のマイクロフォンを利用）、アクション検出機能（加速度センサー１１３などを利用）などで構成され、競技者２からの指示を適当な信号に変換して処理部１００へ送る処理を行う。
【００８４】
計時部１３０は、例えば、リアルタイムクロック（ＲＴＣ：Real Time Clock）ＩＣなどにより構成され、年、月、日、時、分、秒等の時刻データを生成して処理部１００に送る。なお、時刻データは、ＧＰＳセンサー１１０による測位データに含まれる時刻情報に基づき適宜に補正されてもよい。
【００８５】
記憶部１４０は、例えば複数のＩＣ（Integrated Circuit）メモリーなどにより構成され、プログラムなどのデータが記憶されるＲＯＭ（Read Only Memory）、処理部１００の作業領域となるＲＡＭ（Random Access Memory）、プログラムやデータなどを格納するためのメモリーカード等の記録媒体（競技者端末３（コンピューターの一例）により読み取り可能な記録媒体）等を有する。ＲＯＭあるいは記録媒体には、処理部１００が各種の計算処理や制御処理を行うための各種プログラムや、アプリケーション機能を実現するため
の各種プログラムや各種データ等が記憶されている。
【００８６】
なお、競技者端末３が、データ収集装置４が有する記録媒体（光ディスク（ＣＤ、ＤＶＤ）、光磁気ディスク（ＭＯ）、磁気ディスク、ハードディスク、磁気テープ等）や記憶部に記憶されている各種プログラムや各種データを、情報端末５及びネットワーク６を介して受信し、受信した各種プログラムや各種データを記憶部１４０（ＲＡＭ）に記憶してもよい。
【００８７】
表示部１５０は、例えばＬＣＤ（Liquid Crystal Display）、有機ＥＬ（Electroluminescence）ディスプレイ、ＥＰＤ（Electrophoretic Display）、タッチパネル型ディスプレイ等で構成され、処理部１００からの指示に従って各種の画像を表示する。なお、表示部１５０としては、競技者端末３とは別体で設けられたヘッドマウントディスプレイ（ＨＭＤ：Head Mounted Display）を用いることもできる。
【００８８】
音出力部１６０は、例えばスピーカー、ブザー、バイブレーターなどで構成され、処理部１００からの指示に従って各種の音（振動を含む）を発生させる。なお、音出力部１６０としては、競技者端末３とは別体で設けられた骨伝導デバイスを用いることもできる。
【００８９】
通信部１７０は、競技者端末３と情報端末５との間の通信を成立させるための各種制御を行う。通信部１７０は、例えば、Bluetooth（登録商標）（BTLE：Bluetooth Low Energyを含む）、Ｗｉ−Ｆｉ（登録商標）（Wireless Fidelity）、Ｚｉｇｂｅｅ（登録商標）、ＮＦＣ（Near field communication）、ＡＮＴ＋（登録商標）等の近距離無線通信規格に対応した送受信機や通信部１７０はＵＳＢ（Universal Serial Bus）等の通信バス規格に対応したコネクターを含んで構成される。
【００９０】
バッテリー１８０は、競技者端末３を構成する各部に対して電力を供給するものであり、例えば充電式のバッテリーである。バッテリー１８０の充電方式としては、例えば、無接点充電、有接点充電（クレードル等を使用した充電）などを適用することができる。また、バッテリー１８０は、交換式のバッテリーであってもよいし、太陽光発電式のバッテリーであってもよい。
【００９１】
処理部１００（プロセッサー）は、例えば、ＭＰＵ（Micro Processing Unit）、ＤＳＰ（Digital Signal Processor）、ＡＳＩＣ（Application Specific Integrated Circuit）等により構成される。処理部１００は、記憶部１４０に格納されたプログラムと、操作部１２０から入力された信号とに基づき、各種の処理を実行する。処理部１００による処理には、ＧＰＳセンサー１１０、地磁気センサー１１１、圧力センサー１１２、加速度センサー１１３、角速度センサー１１４、脈拍センサー１１５、温度センサー１１６、計時部１３０の各出力信号に対するデータ処理、表示部１５０に画像を表示させる表示処理、音出力部１６０に音を出力させる音出力処理、通信部１７０を介して情報端末５と通信を行う通信処理、バッテリー１８０からの電力を各部へ供給する電力制御処理などが含まれる。
【００９２】
特に、本実施形態では、処理部１００は、データ処理の１つとして、計時部１３０の出力信号に基づき、操作部１２０から計測開始操作を示す信号を受け取ってからの経過時間（総合経過時間Ｔｔｏｔａｌ）を計測する処理を行う。
【００９３】
また、処理部１００は、データ処理の１つとして、ＧＰＳセンサー１１０が生成して出力する測位データ（ＧＰＳ衛星７から送信された衛星信号に基づいて得られる位置情報）と、加速度センサー１１３の出力信号及び圧力センサー１１２の出力信号の少なくとも何れかと、に基づいて、競技者２の複数の状態「スイム」、「トランジション１」、「バイ
ク」、「トランジション２」及び「ラン」を判別する処理を行う。
【００９４】
一般に、スイムでは、競技者２の腕のストロークが規則的である（周期性を有する）ため、加速度センサー１１３の出力信号の波形が規則的である（周期性を有する）。また、競技者２の泳ぐ速度（移動速度）は所定の速度範囲（例えば、約３ｋｍ／ｈ）である。さらに、競技者２の腕が大気中にある状態と水中にある状態が交互に繰り返されるので、圧力センサー１１２が気圧と水圧を検出する。トランジション１では、競技者２は着替え等を行っているため、競技者２の位置はほとんど変化せず停止（移動速度がゼロ）に近い。バイクでは、競技者２が走行する速度（移動速度）は所定の速度（例えば、２０ｋｍ／ｈ）以上である。また、競技者２が風を受けるので、圧力センサー１１２が風圧を検出する。トランジション２では、競技者２は着替え等を行っているため、競技者２の位置はほとんど変化せず停止（移動速度がゼロ）に近い。ランでは、競技者２の腕振りが規則的である（周期性を有する）ため、加速度センサー１１３の出力信号の波形が規則的である（周期性を有する）。また、競技者２の走る速度（移動速度）は所定の速度範囲（例えば、８ｋｍ／ｈ〜２０ｋｍ／ｈ）である。
【００９５】
そこで、処理部１００は、ＧＰＳセンサー１１０が生成して出力する測位データ（位置情報）に基づいて競技者２の移動速度を計算し、加速度センサー１１３の出力信号の波形が周期性を有するか否かを判定し、圧力センサー１１２の出力信号に基づいて圧力の変化を検出し、競技者２の移動速度、加速度センサー１１３の出力信号の波形が周期性を有するか否か、及び圧力の変化に基づいて、競技者２の複数の状態「スイム」、「トランジション１」、「バイク」、「トランジション２」及び「ラン」を判別してもよい。
【００９６】
また、処理部１００は、データ処理の１つとして、競技者２の複数の状態「スイム」、「トランジション１」、「バイク」、「トランジション２」及び「ラン」のそれぞれに要した時間を計算する処理を行う。すなわち、処理部１００は、計時部１３０の出力信号に基づき、状態「スイム」の経過時間Ｔｓｗｉｍ、状態「トランジション１」の経過時間Ｔｔｒａｎ１、状態「バイク」の経過時間Ｔｂｉｋｅ、状態「トランジション２」の経過時間Ｔｔｒａｎ２及び状態「ラン」の経過時間Ｔｒｕｎを計測する処理を行う。
【００９７】
また、処理部１００は、データ処理の１つとして、ＧＰＳセンサー１１０、地磁気センサー１１１、圧力センサー１１２、加速度センサー１１３、角速度センサー１１４、脈拍センサー１１５、温度センサー１１６、計時部１３０の各出力信号に基づき、操作部１２０から計測開始操作を示す信号を受け取ってからの競技者２のスピード、ペース、距離、軌跡、脈拍、心拍、ピッチ（ランニングピッチ）、ストライド（ランニングストライド）、水泳ストローク等の情報を生成する処理を行う。
【００９８】
例えば、処理部１００は、ＧＰＳセンサー１１０が出力する測位データ（位置情報）に基づいて、競技者２の移動速度（スピード）、ペース、距離、軌跡の情報を生成する。また、処理部１００は、脈拍センサー１１５の出力信号に基づいて、脈拍や心拍の情報を生成する。また、処理部１００は、加速度センサー１１３の出力信号や角速度センサー１１４の出力信号に基づいて、ピッチ（ランニングピッチ）の情報を生成する。また、処理部１００は、距離とピッチの情報からストライド（ランニングストライド）の情報を生成する。また、処理部１００は、圧力センサー１１２の出力信号から得られる水深の時間変化に基づき、水泳ストローク（ストローク速度）の情報を生成する。
【００９９】
また、処理部１００は、データ処理の１つとして、操作部１２０から計測開始操作を示す信号を受け取ってから計測終了操作を示す信号を受け取るまで、競技者２の運動情報（総合経過時間Ｔｔｏｔａｌ、経過時間Ｔｓｗｉｍ，Ｔｔｒａｎ１，Ｔｂｉｋｅ，Ｔｔｒａｎ２，Ｔｒｕｎ、判別した状態、スピード、ペース、距離、軌跡、脈拍、心拍、ピッチ、
ストライド、水泳ストローク等）を記憶部１４０に記憶させる処理を行う。
【０１００】
また、処理部１００は、データ処理の１つとして、操作部１２０から計測終了操作を示す信号を受け取ると、総合経過時間Ｔｔｏｔａｌの計測処理、複数の状態「スイム」、「トランジション１」、「バイク」、「トランジション２」及び「ラン」の判別処理及び各状態の経過時間Ｔｓｗｉｍ，Ｔｔｒａｎ１，Ｔｂｉｋｅ，Ｔｔｒａｎ２，Ｔｒｕｎの計測処理を終了し、総合経過時間Ｔｔｏｔａｌ及び各経過時間Ｔｓｗｉｍ，Ｔｔｒａｎ１，Ｔｂｉｋｅ，Ｔｔｒａｎ２，Ｔｒｕｎ（最終的なタイム）を記憶部１４０に時刻順に記憶させる処理を行う。
【０１０１】
また、処理部１００は、通信処理の１つとして、操作部１２０から計測開始操作を示す信号を受け取ってから計測終了操作を示す信号を受け取るまで、記憶部１４０に記憶されている競技者２の運動情報を、通信部１７０及び情報端末５を介してデータ収集装置４に時刻順に送信する処理を行う。
【０１０２】
また、処理部１００は、表示処理の１つとして、競技者２の複数の状態「スイム」、「トランジション１」、「バイク」、「トランジション２」及び「ラン」の少なくとも１つを表示部１５０に表示させる処理を行ってもよい。この場合、表示部１５０は、処理部１００により判別された状態を通知する通知部として機能する。
【０１０３】
また、処理部１００は、表示処理の１つとして、競技者２の運動情報の少なくとも一部を、表示部１５０に表示させる処理を行ってもよい。
【０１０４】
また、処理部１００は、音出力処理の１つとして、競技者２の複数の状態「スイム」、「トランジション１」、「バイク」、「トランジション２」及び「ラン」の少なくとも１つを音として音出力部１６０に出力させる処理を行ってもよい。この場合、音出力部１６０は、処理部１００により判別された状態を通知する通知部として機能する。
【０１０５】
また、処理部１００は、音出力処理の１つとして、競技者２の運動情報の少なくとも一部を音として音出力部１６０に出力させる処理を行ってもよい。
【０１０６】
また、処理部１００は、通信処理の１つとして、競技者２の複数の状態「スイム」、「トランジション１」、「バイク」、「トランジション２」及び「ラン」の少なくとも１つを、通信部１７０を介して情報端末５に送信する処理を行ってもよい。この場合、通信部１７０は、処理部１００により判別された状態を通知する通知部として機能する。
【０１０７】
図５は、競技者端末３の処理部１００が行う一部の処理の手順の一例を示すフローチャート図である。競技者端末３の処理部１００は、記憶部１４０（記録媒体、ＲＯＭあるいはＲＡＭ）に記憶されているプログラムを実行することにより、図５のフローチャートの手順で処理を実行する。
【０１０８】
図５に示すように、まず、処理部１００は、操作部１２０から計測開始操作を示す信号を受け取るまで待機し（ステップＳ１０のＮ）、計測開始操作を示す信号を受け取ると（ステップＳ１０のＹ）、競技者２の運動情報の生成処理及びデータ収集装置４への当該運動情報の送信処理を開始する（ステップＳ１２）。
【０１０９】
次に、処理部１００は、競技者２の状態を判別する状態判別処理を行う（ステップＳ１４）。本実施形態では、処理部１００は、状態判別処理において、ＧＰＳセンサー１１０が生成して出力する測位データ（位置情報）、加速度センサー１１３の出力信号及び圧力センサー１１２の出力信号に基づいて、競技者２の複数の状態「スイム」、「トランジシ
ョン１」、「バイク」、「トランジション２」及び「ラン」を判別する処理を行う。この状態判別処理の詳細については後述する。
【０１１０】
次に、処理部１００は、操作部１２０から計測終了操作を示す信号を受け取るまで待機し（ステップＳ１６のＮ）、計測終了操作を示す信号を受け取ると（ステップＳ１６のＹ）、競技者２の運動情報の生成処理及びデータ収集装置４への当該運動情報の送信処理を終了する（ステップＳ１８）。
【０１１１】
図６は、状態判別処理（図５のステップＳ１４の処理）の詳細の一例を示すフローチャート図である。
【０１１２】
図６に示すように、本実施形態では、処理部１００は、スイム判定処理（ステップＳ１００）、トランジション１判定処理（ステップＳ２００）、バイク判定処理（ステップＳ３００）、トランジション２判定処理（ステップＳ４００）、ラン判定処理（ステップＳ５００）を順番に行う。
【０１１３】
前述したように、スイムでは、競技者２の腕のストロークが規則的であり（周期性を有し）、かつ、競技者２の泳ぐ速度は所定の速度範囲（例えば、約３ｋｍ／ｈ）であり、かつ、競技者２の腕が大気中にある状態と水中にある状態が交互に繰り返される。そこで、処理部１００は、スイム判定処理（ステップＳ１００）では、加速度波形（加速度センサー１１３の出力波形）が規則的であり（周期性を有し）（ステップＳ１０１のＹ）、かつ、ＧＰＳセンサー１１０の測位データに含まれる競技者端末３の位置を微分した移動速度が約３ｋｍ／ｈであり（ステップＳ１０２のＹ）、かつ、圧力センサー１１２の出力信号に基づき水圧及び気圧を検出した場合（ステップＳ１０３のＹ）、競技者２がスイムを実施中であるものと判定し、競技者２の状態を不定状態から「スイム」に変更する（ステップＳ１０４）。
【０１１４】
処理部１００は、加速度センサー１１３の出力信号の電圧が閾値Ｖｔ１と一致する周期が所定時間ほぼ一定（所定の範囲内）であれば、加速度波形が規則的であると判定してもよい。Ｖｔ１は、適宜定めればよい。また、処理部１００は、競技者端末３の移動速度が、３ｋｍ／ｈ−α１以上であり、かつ、３ｋｍ／ｈ＋α２以下である場合に、約３ｋｍ／ｈであると判定してもよい。α１，α２は、適宜定めればよい。また、水圧の方が気圧よりも所定量以上大きいため、処理部１００は、圧力センサー１１２の出力信号を用いて計算した競技者端末３にかかる圧力が周期的に変化し、かつ、極大値と極小値との差が閾値Ｐｔ１以上である場合に、水圧及び気圧を検出したと判定してもよい。Ｐｔ１は、適宜定めればよい。
【０１１５】
また、前述したように、トランジション１では、競技者２は着替え等を行っているため、競技者２の位置はほとんど変化しない。そこで、処理部１００は、トランジション１判定処理（ステップＳ２００）では、競技者端末３の移動速度がゼロに近い（停止に近い）場合（ステップＳ２０１のＹ）、競技者２がトランジション１の状態であるものと判定し、競技者２の状態を「スイム」から「トランジション１」に変更する（ステップＳ２０２）。
【０１１６】
処理部１００は、競技者端末３の移動速度がβ１以下である場合に、停止に近いと判定してもよい。β１は、適宜定めればよい。
【０１１７】
また、前述したように、バイクでは、競技者２が走行する速度は所定の速度（例えば、２０ｋｍ／ｈ）以上であり、かつ、競技者２が風を受ける。そこで、処理部１００は、バイク判定処理（ステップＳ３００）では、競技者端末３の移動速度が２０ｋｍ／ｈ以上で
あり（ステップＳ３０１のＹ）、かつ、圧力センサー１１２の出力信号に基づき風圧を検出した場合（ステップＳ３０２のＹ）、競技者２がバイクを実施中であるものと判定し、競技者２の状態を「トランジション１」から「バイク」に変更する（ステップＳ３０３）。
【０１１８】
また、前述したように、トランジション２では、競技者２は着替え等を行っているため、競技者２の位置はほとんど変化しない。そこで、処理部１００は、トランジション２判定処理（ステップＳ４００）では、競技者端末３の移動速度がゼロに近い（停止に近い）場合（ステップＳ４０１のＹ）、競技者２がトランジション２の状態であるものと判定し、競技者２の状態を「バイク」から「トランジション２」に変更する（ステップＳ４０２）。
【０１１９】
また、前述したように、ランでは、競技者２の腕振りが規則的であり（周期性を有し）、かつ、競技者２の走る速度は所定の速度範囲（例えば、８ｋｍ／ｈ〜２０ｋｍ／ｈ）である。そこで、処理部１００は、ラン判定処理（ステップＳ５００）では、加速度波形（加速度センサー１１３の出力波形）が規則的であり（周期性を有し）（ステップＳ５０１のＹ）、かつ、競技者端末３の移動速度が８ｋｍ／ｈ〜２０ｋｍ／ｈである場合（ステップＳ５０２のＹ）、競技者２がランを実施中であるものと判定し、競技者２の状態を「トランジション２」から「ラン」に変更する（ステップＳ５０３）。
【０１２０】
１−３．データ収集装置の構成及び処理
図７は、データ収集装置４の機能ブロック図の一例である。図７に示すように、データ収集装置４は、処理部２００、通信部２１０、記憶部２２０、記録媒体２３０などを含んで構成される。但し、データ収集装置４の構成は、これらの構成要素の一部を削除又は変更し、あるいは他の構成要素を追加したものであってもよい。
【０１２１】
記憶部２２０は、例えば複数のＩＣメモリーなどにより構成され、処理部２００が各種の計算処理や制御処理を行うためのプログラムやデータが記憶されるＲＯＭ、処理部２００の作業領域となるＲＡＭ等を有する。
【０１２２】
記録媒体２３０は、データ収集装置４（コンピューターの一例）により読み取り可能な記録媒体であり、例えば、光ディスク（ＣＤ、ＤＶＤ）、光磁気ディスク（ＭＯ）、磁気ディスク、ハードディスク、磁気テープ、メモリーカード等である。記録媒体２３０には、処理部２００がアプリケーション機能を実現するためのプログラムやデータが記憶されている。特に、本実施形態では、記録媒体２３０には、処理部２００が映像コンテンツ情報（映像の生成に必要なコンテンツに係る情報）を生成するための映像コンテンツ情報生成プログラム２３１が記憶されている。また、記憶部２２０あるいは記録媒体２３０には、トライアスロン競技に関する各種の情報（トライアスロン競技のコースの地図情報や気象情報、「スイム」、「トランジション１」、「バイク」、「トランジション２」及び「ラン」の各状態を示すオブジェクト情報、競技者２のコスチューム情報等）が記憶されている。
【０１２３】
なお、データ収集装置４が、不図示のサーバーの記録媒体に記憶されている映像コンテンツ情報生成プログラム２３１を含む各種のプログラムや各種のデータを、ネットワーク６等を介して受信し、受信した各種プログラムや各種データを記憶部２２０（ＲＡＭ）に記憶してもよい。
【０１２４】
通信部２１０は、ネットワーク６を介して、複数の競技者端末３や映像生成装置８と通信を行う。具体的には、通信部２１０は、複数の競技者端末３の各々から、競技者端末３の識別情報及び競技者２の運動情報を時刻順に受信する。また、通信部２１０は、映像生
成装置８から、映像コンテンツ情報の送信要求や映像コンテンツ情報を生成する対象となる競技者２を選択するための選択情報を受信する。また、通信部２１０は、映像生成装置８に、送信要求に応じた映像コンテンツ情報を送信する。
【０１２５】
処理部２００（プロセッサー）は、例えば、ＭＰＵ、ＤＳＰ、ＡＳＩＣ等により構成される。処理部２００は、記憶部２２０に記憶されているプログラムや記録媒体２３０に記憶されているプログラムに基づき、各種の処理を実行する。特に、本実施形態では、処理部２００は、記録媒体２３０に記憶されている映像コンテンツ情報生成プログラム２３１を実行することにより、運動情報取得部２０１及び映像コンテンツ情報生成部２０２として機能する。
【０１２６】
運動情報取得部２０１は、通信部２１０が受信した運動情報を順次取得し、競技者端末３の識別情報（あるいは当該競技者端末３を携帯する競技者２の識別情報）と対応づけて記憶部２２０あるいは記録媒体２３０に記憶させる処理を行う。
【０１２７】
映像コンテンツ情報生成部２０２は、記憶部２２０あるいは記録媒体２３０に記憶されている複数の競技者２の運動情報に基づいて、映像コンテンツ情報を生成し、生成した映像コンテンツ情報を、通信部２１０を介して映像生成装置８に送信する処理を行う。映像コンテンツ情報生成部２０２は、通信部２１０が受信した選択情報を取得し、取得した選択情報に基づいて、映像コンテンツ情報を生成する対象となる１又は複数の競技者２を選択し、選択された競技者２の運動情報に基づいて、映像コンテンツ情報を生成してもよい。
【０１２８】
特に、本実施形態では、映像コンテンツ情報生成部２０２は、競技者２の運動情報に含まれる判別された状態（「スイム」、「トランジション１」、「バイク」、「トランジション２」、「ラン」）に基づくオブジェクトに係る情報を含む第１の映像コンテンツ情報を生成する。例えば、映像コンテンツ情報生成部２０２は、通信部２１０から選択情報を取得し、取得した選択情報に基づいて１又は複数の競技者２を選択し、記憶部２２０あるいは記録媒体２３０に記憶されているオブジェクト情報から、複数の競技者２に対応づけられた複数のオブジェクトの少なくとも１つ（選択された１又は複数の競技者２の判別された状態に基づくオブジェクト）に係る情報を選択し、選択された当該情報を含む第１の映像コンテンツ情報を生成してもよい。図８に、判別された状態（「スイム」、「トランジション１」、「バイク」、「トランジション２」、「ラン」）に基づくオブジェクトの一例を示す。図８の例では、状態「スイム」に基づくオブジェクトＯＢ１は、競技者２がスイムを実施中であることを想起させるような図形である。また、状態「トランジション１」に基づくオブジェクトＯＢ２は、競技者２がスイムからバイクへ移行中であることを想起させるような図形である。また、状態「バイク」に基づくオブジェクトＯＢ３は、競技者２がバイクを実施中であることを想起させるような図形である。また、状態「トランジション２」に基づくオブジェクトＯＢ４は、競技者２がバイクからランへ移行中であることを想起させるような図形である。また、状態「ラン」に基づくオブジェクトＯＢ５は、競技者２がランを実施中であることを想起させるような図形である。なお、判別された状態に基づくオブジェクトは、図形に限らず、例えば、文字であってもよい。
【０１２９】
映像コンテンツ情報生成部２０２は、競技者２の運動情報に含まれる判別された状態における経過時間（Ｔｓｗｉｍ，Ｔｔｒａｎ１，Ｔｂｉｋｅ，Ｔｔｒａｎ２，Ｔｒｕｎ）に係る情報をさらに含む第１の映像コンテンツ情報を生成してもよい。
【０１３０】
また、本実施形態では、記憶部２２０あるいは記録媒体２３０に記憶される各競技者２の運動情報は、競技者２の運動状況に係る情報を含み、映像コンテンツ情報生成部２０２は、当該運動情報に基づいて、競技者２の運動状況の変化を時系列に示すグラフに係る情
報を含む第２の映像コンテンツ情報を生成する。例えば、映像コンテンツ情報生成部２０２は、通信部２１０から選択情報を取得し、取得した選択情報に基づいて競技者２を選択し、選択された競技者２の運動情報に基づいて、競技者２の運動状況の変化を時系列に示すグラフに係る情報を含む第２の映像コンテンツ情報を生成してもよい。ここで、競技者２の運動状況は、例えば、競技者２の生体情報（心拍数、脈拍数等）や成績情報（ペース、スピード、ピッチ、ストライド、経過時間等）である。
【０１３１】
また、例えば、記憶部２２０あるいは記録媒体２３０に、複数の競技者２の各々がスイム、バイク、ランで使用するコスチュームに関する情報（コスチューム情報）が記憶され、映像コンテンツ情報生成部２０２は、選択された競技者２のコスチューム情報  また、例えば、記憶部２２０あるいは記録媒体２３０に、トライアスロン競技のコースを含むエリアの地図情報が記憶され、映像コンテンツ情報生成部２０２は、当該地図情報と選択された競技者２の運動情報とに基づいて、当該競技者２のコース上の位置に関する情報を含む映像コンテンツ情報を生成してもよい。
【０１３２】
また、例えば、記憶部２２０あるいは記録媒体２３０に、複数の競技者２の運動強度に関する情報が記憶され、映像コンテンツ情報生成部２０２は、当該運動強度に関する情報と選択された競技者２の運動情報とに基づいて、当該競技者２の疲労度（疲労が回復するまでのリカバリーターム）に関する情報を含む映像コンテンツ情報を生成してもよい。疲労度（リカバリータイム）は、運動強度と運動時間より算出される。各競技者２の運動強度は、最大走速度や最大酸素摂取量等に基づき決定されてもよいし、各競技者２の主観的運動強度であってもよい。
【０１３３】
図９は、データ収集装置４の処理部２００が行う一部の処理（映像コンテンツ情報生成処理）の手順の一例を示すフローチャート図である。データ収集装置４の処理部２００は、記録媒体２３０あるいは記憶部２２０に記憶されている映像コンテンツ情報生成プログラム２３１を実行することにより、図９のフローチャートの手順で映像コンテンツ情報生成処理を実行する。
【０１３４】
図９に示すように、まず、処理部２００は、通信部２１０がいずれかの競技者端末３から競技者２の運動情報を受信した場合（ステップＳ２０のＹ）、通信部２１０が受信した運動情報を取得し、取得した運動情報を、競技者端末３の識別情報（あるいは当該競技者端末３を携帯する競技者２の識別情報）と対応づけて記憶部２２０あるいは記録媒体２３０に記憶させる（ステップＳ２２）。一方、処理部２００は、通信部２１０がいずれの競技者端末３からも競技者２の運動情報を受信しない場合は（ステップＳ２０のＮ）、ステップＳ２２の処理を行わない。
【０１３５】
次に、処理部２００は、通信部２１０が映像生成装置８から選択情報を受信した場合（ステップＳ２４のＹ）、通信部２１０が受信した選択情報を取得し、取得した選択情報に基づいて、映像コンテンツ情報を生成する対象となる競技者２を選択する（ステップＳ２６）。一方、処理部２００は、通信部２１０が映像生成装置８から選択情報を受信しない場合は（ステップＳ２４のＮ）、ステップＳ２６の処理を行わない。
【０１３６】
次に、処理部２００は、通信部２１０が映像生成装置８から映像コンテンツ情報の送信要求（映像コンテンツ情報の送信を要求する信号）を受信した場合（ステップＳ２８のＹ）、通信部２１０が受信した送信要求を取得し、取得した送信要求に基づいて、ステップＳ２６で選択された競技者２に関する映像コンテンツ情報を生成し、生成した映像コンテンツ情報を映像生成装置８に送信する（ステップＳ３０）。例えば、処理部２００は、映像生成装置８から第１の映像コンテンツ情報の送信を要求されている場合は、ステップＳ２６で選択された競技者２の運動情報を記憶部２２０あるいは記録媒体２３０から読み出
し、判別された当該競技者２の状態に基づくオブジェクト（例えば、図８に示したオブジェクトＯＢ１〜ＯＢ５の少なくとも１つ）に係る情報を含む第１の映像コンテンツ情報を生成する。また、処理部２００は、映像生成装置８から第２の映像コンテンツ情報の送信を要求されている場合は、ステップＳ２６で選択された競技者２の運動情報の少なくとも一部を記憶部２２０あるいは記録媒体２３０から読み出し、要求されている運動状況の変化を時系列に示すグラフに係る情報を含む第２の映像コンテンツ情報を生成する。
【０１３７】
一方、処理部２００は、通信部２１０が映像生成装置８から映像コンテンツ情報の送信要求を受信しない場合は（ステップＳ２８のＮ）、ステップＳ３０の処理を行わない。そして、処理部２００は、ステップＳ２０〜Ｓ３０以降の処理を繰り返し行う。
【０１３８】
１−４．映像生成装置の構成及び処理
図１０は、映像生成装置８の機能ブロック図の一例である。図１０に示すように、映像生成装置８は、処理部３００、通信部３１０、通信部３２０、記憶部３３０、記録媒体３４０などを含んで構成される。但し、映像生成装置８の構成は、これらの構成要素の一部を削除又は変更し、あるいは他の構成要素を追加したものであってもよい。
【０１３９】
記憶部３３０は、例えば複数のＩＣメモリーなどにより構成され、処理部３００が各種の計算処理や制御処理を行うためのプログラムやデータが記憶されるＲＯＭ、処理部３００の作業領域となるＲＡＭ等を有する。
【０１４０】
記録媒体３４０は、映像生成装置８（コンピューターの一例）により読み取り可能な記録媒体であり、例えば、光ディスク（ＣＤ、ＤＶＤ）、光磁気ディスク（ＭＯ）、磁気ディスク、ハードディスク、磁気テープ、メモリーカード等である。記録媒体３４０には、処理部３００がアプリケーション機能を実現するためのプログラムやデータが記憶されている。特に、本実施形態では、記録媒体３４０には、処理部３００が映像を生成するための映像生成プログラム３４１が記憶されている。
【０１４１】
なお、映像生成装置８が、不図示のサーバーの記録媒体に記憶されている映像生成プログラム３４１を含む各種のプログラムや各種のデータを、ネットワーク６等を介して受信し、受信した各種プログラムや各種データを記憶部３３０（ＲＡＭ）に記憶してもよい。
【０１４２】
通信部３１０は、カメラ１０と通信を行い、カメラ１０によって撮影されたトライアスロン競技の映像情報を受信する。
【０１４３】
通信部３２０は、ネットワーク６を介して、データ収集装置４や表示機器９と通信を行う。具体的には、通信部３２０は、表示機器９から送信された各種の信号（データ情報の表示を要求する信号やデータ情報の表示対象となる競技者２を選択するための信号等）を受信する。また、通信部３２０は、データ収集装置４に、映像コンテンツ情報を生成する対象となる競技者２を選択するための選択情報を送信する。また、通信部３２０は、データ収集装置４に映像コンテンツ情報の送信を要求する信号を送信し、データ収集装置４から、送信要求に応じた映像コンテンツ情報（第１の映像コンテンツ情報や第２の映像コンテンツ情報等）を受信する。また、通信部３２０は、表示機器９にトライアスロン競技の映像を送信する。
【０１４４】
処理部３００（プロセッサー）は、例えば、ＭＰＵ、ＤＳＰ、ＡＳＩＣ等により構成される。処理部３００は、記憶部３３０に記憶されているプログラムや記録媒体３４０に記憶されているプログラムに基づき、各種の処理を実行する。特に、本実施形態では、処理部３００は、記録媒体３４０に記憶されている映像生成プログラム３４１を実行することにより、映像情報取得部３０１、選択情報生成部３０２、映像コンテンツ情報取得部３０
３及び映像生成部３０４として機能する。
【０１４５】
映像情報取得部３０１は、通信部３１０が受信した映像情報を順次取得し、記憶部３３０あるいは記録媒体３４０に記憶させる処理を行う。
【０１４６】
選択情報生成部３０２は、表示機器９から送信されて通信部３２０が受信した信号（データ情報の表示対象となる競技者２を選択するための信号）に基づいて、データ収集装置４が映像コンテンツ情報を生成する対象となる１又は複数の競技者２を選択するための選択情報を生成し、生成した選択情報を、通信部３２０を介してデータ収集装置４に送信する処理を行う。
【０１４７】
映像コンテンツ情報取得部３０３は、表示機器９から送信されて通信部３２０が受信した信号（データ情報の表示を要求する信号）に基づいて、データ収集装置４に必要な映像コンテンツ情報の送信を要求する信号を、通信部３２０を介して送信し、通信部３２０が受信した当該映像コンテンツ情報を取得し、記憶部３３０あるいは記録媒体３４０に記憶させる処理を行う。
【０１４８】
映像生成部３０４は、記憶部３３０あるいは記録媒体３４０に記憶されている映像情報及び映像コンテンツ情報に基づいて映像を生成し、生成した映像を、通信部３２０を介して表示機器９に配信する処理を行う。
【０１４９】
特に、本実施形態では、記憶部３３０あるいは記録媒体３４０に記憶される第１の映像コンテンツ情報は、競技者２の判別された状態に基づくオブジェクトに係る情報を含み、映像生成部３０４は、第１の映像コンテンツ情報に基づいて、当該オブジェクトを含む第１の映像を生成する。例えば、第１の映像コンテンツ情報は、複数の競技者２に対応づけられた複数のオブジェクトの少なくとも１つ（選択情報に基づいて選択された１又は複数の競技者２の判別された状態に基づくオブジェクト）を含み、映像生成部３０４、第１の映像コンテンツ情報に基づいて、当該複数のオブジェクトの少なくとも１つを含む第１の映像を生成してもよい。
【０１５０】
記憶部３３０あるいは記録媒体３４０に記憶される第１の映像コンテンツ情報は、競技者２の判別された状態における経過時間に係る情報をさらに含み、映像生成部３０４は、第１の映像コンテンツ情報に基づいて、当該経過時間を含む第１の映像を生成してもよい。
【０１５１】
また、本実施形態では、記憶部３３０あるいは記録媒体３４０に記憶される第２の映像コンテンツ情報は、競技者２の運動状況の変化を時系列に示すグラフに係る情報を含み、映像生成部３０４は、第２の映像コンテンツ情報に基づいて、当該グラフを含む第２の映像を生成する。例えば、第２の映像コンテンツ情報は、選択情報に基づいて選択された競技者２の運動状況の変化を時系列に示すグラフに係る情報を含み、映像生成部３０４は、第２の映像コンテンツ情報に基づいて、選択された競技者２の運動状況の変化を時系列に示すグラフを含む第２の映像を生成してもよい。
【０１５２】
また、例えば、記憶部３３０あるいは記録媒体３４０に記憶される映像コンテンツ情報は、選択された競技者２のコスチューム情報を含み、映像生成部３０４は、映像コンテンツ情報に基づいて、選択された競技者２のコスチュームを示す画像を含む映像を生成してもよい。
【０１５３】
また、例えば、記憶部３３０あるいは記録媒体３４０に記憶される映像コンテンツ情報は、選択された競技者２のコース上の位置に関する情報を含み、映像生成部３０４は、映
像コンテンツ情報に基づいて、選択された競技者２のコース上の位置を示す画像を含む映像を生成してもよい。
【０１５４】
また、例えば、記憶部３３０あるいは記録媒体３４０に記憶される映像コンテンツ情報は、選択された競技者２の疲労度（リカバリーターム）に関する情報を含み、映像生成部３０４は、映像コンテンツ情報に基づいて、選択された競技者２の疲労度（リカバリーターム）を示す画像を含む映像を生成してもよい。
【０１５５】
図１１は、映像生成装置８の処理部３００が行う一部の処理（映像生成処理）の手順の一例を示すフローチャート図である。映像生成装置８の処理部３００は、記録媒体３４０あるいは記憶部３３０に記憶されている映像生成プログラム３４１を実行することにより、図１１のフローチャートの手順で映像生成処理を実行する。
【０１５６】
図１１に示すように、まず、処理部３００は、カメラ１０から送信されて通信部３１０が受信した映像情報を取得し、取得した映像情報を記憶部３３０あるいは記録媒体３４０に記憶させる（ステップＳ４０）。
【０１５７】
次に、処理部２００は、通信部３２０が表示機器９からデータ情報の表示対象となる競技者２を選択するための信号を受信した場合（ステップＳ４２のＹ）、通信部３２０が受信した当該信号に基づいて選択情報を生成し、生成した選択情報を、通信部３２０を介してデータ収集装置４に送信する（ステップＳ４４）。一方、処理部３００は、通信部３２０が表示機器９からデータ情報の表示対象となる競技者２を選択するための信号を受信しない場合は（ステップＳ４２のＮ）、ステップＳ４４の処理を行わない。
【０１５８】
次に、処理部２００は、通信部３２０が表示機器９からデータ情報の表示を要求する信号を受信しない場合（ステップＳ４６のＮ）、カメラ１０から送信されてステップＳ４０で記憶した映像情報に基づいて映像情報を生成し、生成した映像を、通信部３２０を介して表示機器９に送信する（ステップＳ４８）。
【０１５９】
一方、処理部２００は、通信部３２０が表示機器９からデータ情報の表示要求（データ情報の表示を要求する信号）を受信した場合（ステップＳ４６のＹ）、通信部３２０が受信した表示要求を取得し、取得した表示要求に基づいて、データ収集装置４に映像コンテンツ情報の送信を要求する（ステップＳ５０）。そして、処理部２００は、通信部３２０がデータ収集装置４から映像コンテンツ情報を受信した場合（ステップＳ５２のＹ）、通信部３２０が受信した映像コンテンツ情報を取得し、カメラ１０から送信されてステップＳ４０で記憶した映像情報に基づいて映像情報と、取得した映像コンテンツ情報とに基づいて映像を生成し、生成した映像を、通信部３２０を介して表示機器９に送信する（ステップＳ５４）。例えば、処理部２００は、表示機器９から第１の映像の表示を要求されている場合は、カメラ１０から送信された映像情報と、データ収集装置４に送信を要求して取得した第１の映像コンテンツ情報とに基づいて、判別された競技者２の状態に基づくオブジェクト（例えば、図８に示したオブジェクトＯＢ１〜ＯＢ５の少なくとも１つ）を含む第１の映像を生成する。また、処理部２００は、表示機器９から第２の映像の表示を要求されている場合は、カメラ１０から送信された映像情報と、データ収集装置４に送信を要求して取得した第２の映像コンテンツ情報とに基づいて、競技者２の運動状況の変化を時系列に示すグラフを含む第２の映像を生成する。
【０１６０】
一方、処理部２００は、通信部３２０がデータ収集装置４から映像コンテンツ情報を受信しない場合（すなわち、映像コンテンツ情報の受信を待っている場合）（ステップＳ５２のＹ）、ステップＳ４０以降の処理を繰り返し行う。
【０１６１】
そして、ステップＳ４８又はＳ５４において表示機器９に送信された映像は、表示機器９の表示部に表示される。
【０１６２】
１−５．表示機器における映像の表示例
図１２〜図１６は、表示機器９の表示部に表示される映像の例を示す図である。図１２に示す映像４００は、スイムを実施している複数の選手（競技者２）の動きを示す動画像４０１、スイムからバイクへの移行中の（トランジション１の状態にある）複数の選手の動きを示す動画像４０２及びバイクを実施している複数の選手の動きを示す動画像４０３を含んでいる。また、映像４００は、複数の選手選択ボタン４０５やスクロールバー４０６を備えた選手選択ウィンドウ４０４を含んでおり、視聴者は、１又は複数の選手選択ボタン４０５の押下操作を行うことにより、情報を表示したい選手を選択することができる。また、映像４００は、選択された選手Ａ〜Ｅの各々についての、選手識別表示ボタン４０７（選手の名前あるいはゼッケン番号等が表示されたボタン）、顔の静止画像及び現在の状態（判別された状態）に基づくオブジェクト（図８に示したオブジェクトＯＢ１〜ＯＢ５のいずれか）を含んでいる。また、映像４００は、Ｍａｐ情報ボタン４０８及び疲労度グラフボタン４０９を含んでいる。視聴者は、この映像４００により、例えば、応援する各選手の実施種目を認識しながら、トライアスロン競技の視聴を楽しむことができる。
【０１６３】
視聴者が、図１２に示した映像４００において、Ｍａｐ情報ボタン４０８の押下操作を行うと、表示機器９の表示部には、例えば、図１３に示す映像４１０が表示される。映像４１０は、図１２に示した映像４００に対して、選手選択ウィンドウ４０４、Ｍａｐ情報ボタン４０８及び疲労度グラフボタン４０９がマップ情報ウィンドウ４１１に置き換わった映像である。マップ情報ウィンドウ４１１は、トライアスロン競技のコース上の各選手の現在位置を示すマーク（図１３の例では、選手Ａ〜Ｅに対応する５つの円状オブジェクト）を含んでいる。視聴者は、この映像４１０により、例えば、応援する各選手の実施種目や位置を認識しながら、トライアスロン競技の視聴を楽しむことができる。
【０１６４】
また、視聴者が、図１２に示した映像４００において、疲労度グラフボタン４０９の押下操作を行うと、表示機器９の表示部には、例えば、図１４に示す映像４２０が表示される。映像４２０は、図１２に示した映像４００に対して、選手選択ウィンドウ４０４、Ｍａｐ情報ボタン４０８及び疲労度グラフボタン４０９が疲労度グラフウィンドウ４２１に置き換わった映像である。疲労度グラフウィンドウ４２１は、各選手の疲労度（リカバリータイム）の推移（時間変化）を示すグラフを含んでいる。視聴者は、この映像４２０により、例えば、応援する各選手の疲労度を認識しながら、トライアスロン競技の視聴を楽しむことができる。
【０１６５】
また、視聴者が、図１２に示した映像４００において、例えば、選手Ｂに対応する選手識別表示ボタン４０７の押下操作を行うと、表示機器９の表示部には、例えば、図１５に示す映像４３０が表示される。映像４３０は、選手Ｂと同じくバイクを実施している複数の選手（選手Ｂが含まれていてもよい）の動きを示す動画像４３１、選手Ｂの顔の画像や現在の状態「バイク」に基づくオブジェクト（図８に示したオブジェクトＯＢ３）、コスチューム情報ボタン４３２、トレンド情報選択ウィンドウ４３３及びトレンド情報表示ウィンドウ４３６を含んでいる。トレンド情報選択ウィンドウ４３３は、複数の運動状況選択ボタン４３４やスクロールバー４３５を備えており、視聴者は、１又は複数の運動状況選択ボタン４３４の押下操作を行うことにより、トレンド情報を表示したい運動状況（「ペース」、「スピード」、「標高」、「心拍」、「ピッチ」、「ストライド」等）を選択することができる。トレンド情報表示ウィンドウ４３６は、選手Ｂの選択された１又は複数の運動状況のトレンド（時間変化）を示すグラフ及び選手Ｂの各状態「スイム」、「トランジション１」、「バイク」に基づくオブジェクト（図８に示したオブジェクトＯＢ１、ＯＢ２、ＯＢ３）を備えている。さらに、トレンド情報表示ウィンドウ４３６は、選手
Ｂの各状態「スイム」、「トランジション１」、「バイク」の経過時間の情報を備えている。視聴者は、この映像４３０により、例えば、応援する選手のペース、心拍数等の推移や各種目の経過時間を認識しながら、トライアスロン競技の視聴を楽しむことができる。
【０１６６】
また、視聴者が、図１４に示した映像４２０において、コスチューム情報ボタン４３２の押下操作を行うと、表示機器９の表示部には、例えば、図１６に示す映像４４０が表示される。映像４４０は、選手Ｂと同じくバイクを実施している複数の選手（選手Ｂが含まれていてもよい）の動きを示す動画像４４１、選手Ｂの顔の画像や現在の状態「バイク」に基づくオブジェクト（図８に示したオブジェクトＯＢ３）、コスチューム情報表示ウィンドウ４４２及び推奨情報表示ウィンドウ４４３を含んでいる。コスチューム情報表示ウィンドウ４４２は、選手Ｂがバイクを実施する際に使用するコスチューム（ウェアー、シューズ、自転車等）の画像を含んでいる。また、推奨情報表示ウィンドウ４４３は、視聴者に対して推奨されるコスチュームの画像を含んでいる。視聴者は、この映像４４０により、例えば、応援する選手が使用するコスチューム等や推奨されるコスチューム等を認識しながら、トライアスロン競技の視聴を楽しむことができる。
【０１６７】
なお、図１２に示した映像４００、図１３に示した映像４１０、図１４に示した映像４２０は、図１５に示した映像４３０及び図１６に示した映像４４０は、上述した第１の映像の一例である。また、図１５に示した映像４３０は、上述した第２の映像の一例である。
【０１６８】
１−６．作用効果
以上に説明したように、本実施形態の映像配信システム１では、各競技者端末３は、各競技者２の複数の状態「スイム」、「トランジション１」、「バイク」、「トランジション２」、「ラン」を自動判別し、判別された状態を含む運動情報を生成し、当該運動情報をデータ収集装置４に送信する。データ収集装置４は、各競技者端末３から送信された各競技者２の運動情報を受信して記憶し、映像生成装置８からの送信要求に応じて、映像生成装置８から送信された選択情報に基づいて選択された各競技者２に対して判別された状態を示すオブジェクトの情報を含む第１の映像コンテンツ情報を生成し、映像生成装置８に送信する。映像生成装置８は、データ収集装置４から送信された第１の映像コンテンツ情報に基づいて、選択された各競技者２に対して判別された状態を示すオブジェクトを含む第１の映像を生成し、表示機器９に配信する。すなわち、本実施形態の映像配信システム１によれば、トライアスロン競技において、選択された各競技者２が実施中あるいは移行中の競技種目に関する情報を含む映像を生成して表示機器９に配信することができる。
【０１６９】
また、本実施形態の映像配信システム１では、データ収集装置４は、映像生成装置８からの送信要求に応じて、選択された各競技者２に対して判別された状態を示すオブジェクトの情報及び当該状態における経過時間の情報を含む第１の映像コンテンツ情報を生成し、映像生成装置８に送信する。映像生成装置８は、データ収集装置４から送信された第１の映像コンテンツ情報に基づいて、選択された各競技者２に対して判別された状態を示すオブジェクト及び当該状態における経過時間の情報を含む第１の映像を生成し、表示機器９に配信する。すなわち、本実施形態の映像配信システム１によれば、トライアスロン競技において、選択された各競技者２が実施中あるいは移行中の競技種目に関する情報及び競技種目の実施時間や移行時間に関する情報を含む映像を生成して表示機器９に配信することができる。
【０１７０】
また、本実施形態の映像配信システム１では、データ収集装置４は、映像生成装置８からの送信要求に応じて、選択された各競技者２に対して運動状況の変化を時系列に示すグラフに関する情報を含む第２の映像コンテンツ情報を生成し、映像生成装置８に送信する。映像生成装置８は、データ収集装置４から送信された第２の映像コンテンツ情報に基づ
いて、選択された各競技者２に対して運動状況の変化を時系列に示すグラフを含む第２の映像を生成し、表示機器９に配信する。すなわち、本実施形態の映像配信システム１によれば、トライアスロン競技において、選択された各競技者２の運動状況のトレンドの情報を含む映像を生成して表示機器９に配信することができる。
【０１７１】
さらに、本実施形態の映像配信システム１では、複数の競技者端末３の各々が各競技者２の状態を自動判別するので、各競技者２は、競技種目がスイムからバイクに切り替わるときやバイクからランに切り替わるときに手作業が不要であり、トライアスロン競技に集中することができる。
【０１７２】
２．変形例
本発明は本実施形態に限定されず、本発明の要旨の範囲内で種々の変形実施が可能である。以下、変形例について説明する。なお、上記実施形態と同一の構成については同一の符号を付して再度の説明を省略する。
【０１７３】
例えば、上記実施形態では、映像生成装置８は、生放送のための映像を生成し、表示機器９に配信しているが、録画放送のための映像を生成し、表示機器９に配信してもよい。映像生成装置８が録画放送のための映像を生成し、生放送のための映像を生成しない場合は、競技者端末３の処理部１００は、計測終了操作を示す信号を受け取った後（すなわち、競技者２がトライアスロン競技を終了した後）、自発的に、あるいは、データ収集装置４からの要求に応じて、記憶部１４０に記憶されている競技者２の運動情報をデータ収集装置４に送信してもよい。
【０１７４】
また、例えば、映像生成装置８は、現在、過去あるいは未来の天気、風速、波の高さ等の気象情報を、データ収集装置４あるいは競技者端末３や不図示の気象情報サーバー等から取得して、当該気象情報を含む映像を生成し、当該映像を表示機器９に配信してもよい。
【０１７５】
また、例えば、競技者端末３の処理部１００は、競技者２の状態判別処理を、図６に示した状態判別処理（スイム判定処理（ステップＳ１００）、トランジション１判定処理（ステップＳ２００）、バイク判定処理（ステップＳ３００）、トランジション２判定処理（ステップＳ４００）及びラン判定処理（ステップＳ５００））とは異なる手順により行ってもよい。
【０１７６】
競技者２の状態判別処理の第１変形例では、競技者端末３の処理部１００は、ＧＰＳセンサー１１０が生成して出力する測位データ（位置情報）、加速度センサー１１３の出力信号及び圧力センサー１１２の出力信号に基づいて、競技者２の複数の状態「スイム」、「トランジション１」、「バイク」、「トランジション２」及び「ラン」を判別する処理を行う。
【０１７７】
図１７に示すように、本実施形態と同様、処理部１００は、スイム判定処理（ステップＳ１００）では、加速度波形（加速度センサー１１３の出力波形）が規則的であり（周期性を有し）（ステップＳ１１１のＹ）、かつ、ＧＰＳセンサー１１０の測位データに含まれる競技者端末３の位置を微分した移動速度が約３ｋｍ／ｈであり（ステップＳ１１２のＹ）、かつ、圧力センサー１１２の出力信号に基づき水圧及び気圧を検出した場合（ステップＳ１１３のＹ）、競技者２がスイムを実施中であるものと判定し、競技者２の状態を不定状態から「スイム」に変更する（ステップＳ１１４）。
【０１７８】
また、トランジション１では、競技者２は着替え等を行っているため、競技者２の腕の動きは不規則であり（周期性を有さず）、加速度センサー１１３の出力信号の波形が不規
則である（周期性を有さない）。また、競技者２の位置はほとんど変化せず停止（移動速度がゼロ）に近い。さらに、競技者２の腕は常に大気中にあるので、圧力センサー１１２が気圧のみを検出する。そこで、図１８に示すように、処理部１００は、トランジション１判定処理（ステップＳ２００）では、加速度波形（加速度センサー１１３の出力波形）が不規則であり（周期性を有さず）（ステップＳ２１１のＹ）、かつ、競技者端末３の移動速度がゼロに近く（停止に近く）（ステップＳ２１２のＹ）、かつ、圧力センサー１１２の出力信号に基づき気圧のみを検出した（水圧を検出しない）場合（ステップＳ２１３のＹ）、競技者２がトランジション１の状態であるものと判定し、競技者２の状態を「スイム」から「トランジション１」に変更する（ステップＳ２１４）。処理部１００は、加速度センサー１１３の出力信号の電圧が、閾値Ｖｔ２と一致する周期が所定時間ほぼ一定（所定の範囲内）ではない、あるいは、閾値Ｖｔ２未満の状態を所定時間継続する場合に、加速度波形が不規則であると判定してもよい。Ｖｔ２は、適宜定めればよい。また、処理部１００は、圧力センサー１１２の出力信号を用いて計算した競技者端末３にかかる圧力が閾値Ｐｔ２未満の状態を所定時間継続する場合に、気圧のみを検出したと判定してもよい。Ｐｔ２は、適宜定めればよい。
【０１７９】
また、バイクでは、競技者２の腕の動きは不規則である（周期性を有さない）ため、加速度センサー１１３の出力信号の波形が不規則である（周期性を有さない）。また、競技者２が走行する速度（移動速度）は所定の速度（例えば、２０ｋｍ／ｈ）以上である。また、競技者２が風を受けるので、圧力センサー１１２が風圧を検出する。そこで、図１９に示すように、処理部１００は、バイク判定処理（ステップＳ３００）では、加速度波形（加速度センサー１１３の出力波形）が不規則であり（周期性を有さず）（ステップＳ３１１のＹ）、かつ、競技者端末３の移動速度が２０ｋｍ／ｈ以上であり（ステップＳ３１２のＹ）、かつ、圧力センサー１１２の出力信号に基づき風圧を検出した場合（ステップＳ３１３のＹ）、競技者２がバイクを実施中であるものと判定し、競技者２の状態を「トランジション１」から「バイク」に変更する（ステップＳ３１４）。
【０１８０】
また、トランジション２では、競技者２は着替え等を行っているため、競技者２の腕の動きは不規則であり（周期性を有さず）、加速度センサー１１３の出力信号の波形が不規則である（周期性を有さない）。また、競技者２の位置はほとんど変化せず停止（移動速度がゼロ）に近い。さらに、競技者２の腕は常に大気中にあるので、圧力センサー１１２が気圧のみを検出する。そこで、図２０に示すように、処理部１００は、トランジション２判定処理（ステップＳ４００）では、加速度波形（加速度センサー１１３の出力波形）が不規則であり（周期性を有さず）（ステップＳ４１１のＹ）、かつ、競技者端末３の移動速度がゼロに近く（停止に近く）（ステップＳ４１２のＹ）、かつ、圧力センサー１１２の出力信号に基づき気圧のみを検出した（水圧を検出しない）場合（ステップＳ４１３のＹ）、競技者２がトランジション２の状態であるものと判定し、競技者２の状態を「バイク」から「トランジション２」に変更する（ステップＳ４１４）。
【０１８１】
また、ランでは、競技者２の腕振りが規則的である（周期性を有する）ため、加速度センサー１１３の出力信号の波形が規則的である（周期性を有する）。また、競技者２の走る速度（移動速度）は所定の速度範囲（例えば、８ｋｍ／ｈ〜２０ｋｍ／ｈ）である。さらに、競技者２の腕は常に大気中にあるので、圧力センサー１１２が気圧のみを検出する。そこで、図２１に示すように、処理部１００は、ラン判定処理（ステップＳ５００）では、加速度波形（加速度センサー１１３の出力波形）が規則的であり（周期性を有し）（ステップＳ５１１のＹ）、かつ、競技者端末３の移動速度が８ｋｍ／ｈ〜２０ｋｍ／ｈであり（ステップＳ５１２のＹ）、かつ、圧力センサー１１２の出力信号に基づき気圧のみを検出した（水圧を検出しない）場合（ステップＳ５１３のＹ）、競技者２がランを実施中であるものと判定し、競技者２の状態を「トランジション２」から「ラン」に変更する（ステップＳ５１４）。
【０１８２】
競技者２の状態判別処理の第２変形例では、競技者端末３の処理部１００は、ＧＰＳセンサー１１０が生成して出力する測位データ（位置情報）と、加速度センサー１１３の出力信号及び圧力センサー１１２の出力信号の少なくとも何れかと、さらに、角速度センサー１１４の出力信号及び温度センサー１１６の出力信号の少なくとも何れかとに基づいて、競技者２の複数の状態「スイム」、「トランジション１」、「バイク」、「トランジション２」及び「ラン」を判別する処理を行う。
【０１８３】
スイムでは、競技者２の腕のストロークが規則的であり（周期性を有し）、かつ、競技者２の泳ぐ速度は所定の速度範囲（例えば、約３ｋｍ／ｈ）であり、かつ、競技者２の腕が大気中にある状態と水中にある状態が交互に繰り返される。そこで、図２２に示すように、処理部１００は、スイム判定処理（ステップＳ１００）では、まず、不図示のカウンターのカウント値を０にリセットする（ステップＳ１２１）。次に、処理部１００は、加速度波形（加速度センサー１１３の出力波形）が規則的である（周期性を有する）場合（ステップＳ１２２のＹ）、カウント値を１増加させる（ステップＳ１２３）。また、処理部１００は、ＧＰＳセンサー１１０の測位データに含まれる競技者端末３の位置を微分した移動速度が約３ｋｍ／ｈである場合（ステップＳ１２４のＹ）、カウント値を１増加させる（ステップＳ１２５）。また、処理部１００は、圧力センサー１１２の出力信号に基づき水圧及び気圧を検出した場合（ステップＳ１２６のＹ）、カウント値を１増加させる（ステップＳ１２７）。また、処理部１００は、角速度波形（角速度センサー１１４の出力波形）が規則的である（周期性を有する）場合（ステップＳ１２８のＹ）、カウント値を１増加させる（ステップＳ１２９）。処理部１００は、角速度センサー１１４の出力信号の電圧が閾値Ｖｔ３と一致する周期が所定時間ほぼ一定（所定の範囲内）であれば、角速度波形が規則的であると判定してもよい。Ｖｔ３は、適宜定めればよい。また、処理部１００は、温度センサー１１６の出力信号に基づき水温を検出した場合（ステップＳ１３０のＹ）、カウント値を１増加させる（ステップＳ１３１）。そして、処理部１００は、カウント値が３未満であれば（ステップＳ１３２のＮ）、ステップＳ１２１以降の処理を再び行い、カウント値が３以上であれば（ステップＳ１３２のＹ）、競技者２がスイムを実施中であるものと判定し、競技者２の状態を不定状態から「スイム」に変更する（ステップＳ１３３）。なお、図２２のフローチャートにおいて、ステップＳ１２２，Ｓ１２４，Ｓ１２６，Ｓ１２８，Ｓ１３０の判定は、適宜、順番を変更してもよい。
【０１８４】
また、トランジション１では、競技者２は着替え等を行っているため、競技者２の腕の動きは不規則であり（周期性を有さず）、かつ、競技者２の位置はほとんど変化せず、かつ、競技者２の腕は常に大気中にある。そこで、図２３に示すように、処理部１００は、トランジション１判定処理（ステップＳ２００）では、まず、不図示のカウンターのカウント値を０にリセットする（ステップＳ２２１）。次に、処理部１００は、加速度波形（加速度センサー１１３の出力波形）が不規則である（周期性を有さない）場合（ステップＳ２２２のＹ）、カウント値を１増加させる（ステップＳ２２３）。また、処理部１００は、競技者端末３の移動速度がゼロに近い（停止に近い）場合（ステップＳ２２４のＹ）、カウント値を１増加させる（ステップＳ２２５）。また、処理部１００は、圧力センサー１１２の出力信号に基づき気圧のみを検出した（水圧を検出しない）場合（ステップＳ２２６のＹ）、カウント値を１増加させる（ステップＳ２２７）。また、処理部１００は、角速度波形（角速度センサー１１４の出力波形）が不規則である（周期性を有さない）場合（ステップＳ２２８のＹ）、カウント値を１増加させる（ステップＳ２２９）。処理部１００は、角速度センサー１１４の出力信号の電圧が、閾値Ｖｔ４と一致する周期が所定時間ほぼ一定（所定の範囲内）ではない、あるいは、閾値Ｖｔ４未満の状態を所定時間継続する場合に、角速度波形が不規則であると判定してもよい。Ｖｔ４は、適宜定めればよい。また、処理部１００は、温度センサー１１６の出力信号に基づき気温及び競技者２の体温を検出した場合（ステップＳ２３０のＹ）、カウント値を１増加させる（ステップ
Ｓ２３１）。そして、処理部１００は、カウント値が３未満であれば（ステップＳ２３２のＮ）、ステップＳ２２１以降の処理を再び行い、カウント値が３以上であれば（ステップＳ２３２のＹ）、競技者２がトランジション１の状態であるものと判定し、競技者２の状態を「スイム」から「トランジション１」に変更する（ステップＳ２３３）。なお、図２３のフローチャートにおいて、ステップＳ２２２，Ｓ２２４，Ｓ２２６，Ｓ２２８，Ｓ２３０の判定は、適宜、順番を変更してもよい。
【０１８５】
また、バイクでは、競技者２の腕の動きは不規則であり（周期性を有さず）、かつ、競技者２が走行する速度は所定の速度（例えば、２０ｋｍ／ｈ）以上であり、かつ、競技者２が風を受け、かつ、競技者２の腕は常に大気中にある。そこで、図２４に示すように、処理部１００は、バイク判定処理（ステップＳ３００）では、まず、不図示のカウンターのカウント値を０にリセットする（ステップＳ３２１）。次に、処理部１００は、加速度波形（加速度センサー１１３の出力波形）が不規則である（周期性を有さない）場合（ステップＳ３２２のＹ）、カウント値を１増加させる（ステップＳ３２３）。また、処理部１００は、競技者端末３の移動速度が２０ｋｍ／ｈ以上である場合（ステップＳ３２４のＹ）、カウント値を１増加させる（ステップＳ３２５）。また、処理部１００は、圧力センサー１１２の出力信号に基づき風圧を検出した場合（ステップＳ３２６のＹ）、カウント値を１増加させる（ステップＳ３２７）。また、処理部１００は、角速度波形（角速度センサー１１４の出力波形）が不規則である（周期性を有さない）場合（ステップＳ３２８のＹ）、カウント値を１増加させる（ステップＳ３２９）。また、処理部１００は、温度センサー１１６の出力信号に基づき気温及び競技者２の体温を検出した場合（ステップＳ３３０のＹ）、カウント値を１増加させる（ステップＳ３３１）。そして、処理部１００は、カウント値が３未満であれば（ステップＳ３３２のＮ）、ステップＳ３２１以降の処理を再び行い、カウント値が３以上であれば（ステップＳ３３２のＹ）、競技者２がバイクを実施中であるものと判定し、競技者２の状態を「トランジション１」から「バイク」に変更する（ステップＳ３３３）。なお、図２４のフローチャートにおいて、ステップＳ３２２，Ｓ３２４，Ｓ３２６，Ｓ３２８，Ｓ３３０の判定は、適宜、順番を変更してもよい。
【０１８６】
また、トランジション２では、競技者２は着替え等を行っているため、競技者２の腕の動きは不規則であり（周期性を有さず）、かつ、競技者２の位置はほとんど変化せず、かつ、競技者２の腕は常に大気中にある。そこで、図２５に示すように、処理部１００は、トランジション２判定処理（ステップＳ４００）では、まず、不図示のカウンターのカウント値を０にリセットする（ステップＳ４２１）。次に、処理部１００は、加速度波形（加速度センサー１１３の出力波形）が不規則である（周期性を有さない）場合（ステップＳ４２２のＹ）、カウント値を１増加させる（ステップＳ４２３）。また、処理部１００は、競技者端末３の移動速度がゼロに近い（停止に近い）場合（ステップＳ４２４のＹ）、カウント値を１増加させる（ステップＳ４２５）。また、処理部１００は、圧力センサー１１２の出力信号に基づき気圧のみを検出した（水圧を検出しない）場合（ステップＳ４２６のＹ）、カウント値を１増加させる（ステップＳ４２７）。また、処理部１００は、角速度波形（角速度センサー１１４の出力波形）が不規則である（周期性を有さない）場合（ステップＳ４２８のＹ）、カウント値を１増加させる（ステップＳ４２９）。また、処理部１００は、温度センサー１１６の出力信号に基づき気温及び競技者２の体温を検出した場合（ステップＳ４３０のＹ）、カウント値を１増加させる（ステップＳ４３１）。そして、処理部１００は、カウント値が３未満であれば（ステップＳ４３２のＮ）、ステップＳ４２１以降の処理を再び行い、カウント値が３以上であれば（ステップＳ４３２のＹ）、競技者２がトランジション２の状態であるものと判定し、競技者２の状態を「バイク」から「トランジション２」に変更する（ステップＳ４３３）。なお、図２５のフローチャートにおいて、ステップＳ４２２，Ｓ４２４，Ｓ４２６，Ｓ４２８，Ｓ４３０の判定は、適宜、順番を変更してもよい。
【０１８７】
また、ランでは、競技者２の腕振りが規則的であり（周期性を有し）、かつ、競技者２の走る速度は所定の速度範囲（例えば、８ｋｍ／ｈ〜２０ｋｍ／ｈ）であり、かつ、競技者２の腕は常に大気中にある。そこで、図２６に示すように、処理部１００は、ラン判定処理（ステップＳ５００）では、まず、不図示のカウンターのカウント値を０にリセットする（ステップＳ５２１）。次に、処理部１００は、加速度波形（加速度センサー１１３の出力波形）が規則的である（周期性を有する）場合（ステップＳ５２２のＹ）、カウント値を１増加させる（ステップＳ５２３）。また、処理部１００は、競技者端末３の移動速度が８ｋｍ／ｈ〜２０ｋｍ／ｈである場合（ステップＳ５２４のＹ）、カウント値を１増加させる（ステップＳ５２５）。また、処理部１００は、圧力センサー１１２の出力信号に基づき気圧のみを検出した（水圧を検出しない）場合（ステップＳ５２６のＹ）、カウント値を１増加させる（ステップＳ５２７）。また、処理部１００は、角速度波形（角速度センサー１１４の出力波形）が規則的である（周期性を有する）場合（ステップＳ５２８のＹ）、カウント値を１増加させる（ステップＳ５２９）。また、処理部１００は、温度センサー１１６の出力信号に基づき気温及び競技者２の体温を検出した場合（ステップＳ５３０のＹ）、カウント値を１増加させる（ステップＳ５３１）。そして、処理部１００は、カウント値が３未満であれば（ステップＳ５３２のＮ）、ステップＳ５２１以降の処理を再び行い、カウント値が３以上であれば（ステップＳ５３２のＹ）、競技者２がランを実施中であるものと判定し、競技者２の状態を「トランジション２」から「ラン」に変更する（ステップＳ５３３）。なお、図２６のフローチャートにおいて、ステップＳ５２２，Ｓ５２４，Ｓ５２６，Ｓ５２８，Ｓ５３０の判定は、適宜、順番を変更してもよい。
【０１８８】
競技者２の状態判別処理の第３変形例では、図２７に示すように、競技者２は、トライアスロン競技を開始する前に、競技者端末３の記憶部１４０に、スイムのゴール地点Ｇ１あるいはその付近の位置Ｐ１（第１の位置）、バイクのスタート地点Ｓ２あるいはその付近の位置Ｐ２（第２の位置）、バイクのゴール地点Ｇ２あるいはその付近の位置Ｐ３（第３の位置）及びランのスタート地点Ｓ３あるいはその付近の位置Ｐ４（第４の位置）をあらかじめ登録しておく。競技者２は、実際に、スイムのゴール地点Ｇ１、バイクのスタート地点Ｓ２、バイクのゴール地点Ｇ２及びランのスタート地点Ｓ３に行き、競技者端末３の操作部１２０を操作して現在地の位置（経度及び緯度）を位置Ｐ１，Ｐ２，Ｐ３，Ｐ４として記憶部１４０に登録してもよい。あるいは、競技者２は、情報端末５において、トライアスロン競技が行われるエリアの地図データ上で、スイムのゴール地点Ｇ１、バイクのスタート地点Ｓ２、バイクのゴール地点Ｇ２及びランのスタート地点Ｓ３にそれぞれ対応する各位置を選択し、競技者端末３が通信部１７０を介して、選択された各位置（経度及び緯度）の情報を受信し、位置Ｐ１，Ｐ２，Ｐ３，Ｐ４として記憶部１４０に登録してもよい。そして、競技者端末３の処理部１００は、ＧＰＳ衛星７から送信された衛星信号に基づいて得られる位置情報と、あらかじめ登録されている位置Ｐ１，Ｐ２，Ｐ３，Ｐ４と、に基づいて、競技者２の「スイム」、「トランジション１」、「バイク」、「トランジション２」及び「ラン」の５つの状態を判別する。
【０１８９】
図２８は、第３変形例における状態判別処理の詳細の一例を示すフローチャート図である。図２８に示すように、まず、処理部１００は、競技者２の状態を「スイム」に設定する（ステップＳ６００）。次に、処理部１００は、ＧＰＳセンサー１１０から測位データ（位置情報）を取得し（ステップＳ６０２）、取得した位置情報と、登録されている位置Ｐ１とに基づき、競技者２の位置と位置Ｐ１との距離が閾値以下であるか否かを判定する（ステップＳ６０４）。この閾値は、適宜定めればよい。処理部１００は、競技者２の位置と位置Ｐ１との距離が閾値以下でなければ（ステップＳ６０４のＮ）、ステップＳ６０２及びＳ６０４の処理を再び行う。一方、処理部１００は、競技者２の位置と位置Ｐ１との距離が閾値以下であれば（ステップＳ６０４のＹ）、競技者２の状態を「スイム」から
「トランジション１」に変更する（ステップＳ６０６）。次に、処理部１００は、ＧＰＳセンサー１１０から測位データ（位置情報）を取得し（ステップＳ６０８）、取得した位置情報と、登録されている位置Ｐ２とに基づき、競技者２の位置と位置Ｐ２との距離が閾値以下であるか否かを判定する（ステップＳ６１０）。処理部１００は、競技者２の位置と位置Ｐ２との距離が閾値以下でなければ（ステップＳ６１０のＮ）、ステップＳ６０８及びＳ６１０の処理を再び行う。一方、処理部１００は、競技者２の位置と位置Ｐ２との距離が閾値以下であれば（ステップＳ６１０のＹ）、競技者２の状態を「トランジション１」から「バイク」に変更する（ステップＳ６１２）。次に、処理部１００は、ＧＰＳセンサー１１０から測位データ（位置情報）を取得し（ステップＳ６１４）、取得した位置情報と、登録されている位置Ｐ３とに基づき、競技者２の位置と位置Ｐ３との距離が閾値以下であるか否かを判定する（ステップＳ６１６）。処理部１００は、競技者２の位置と位置Ｐ３との距離が閾値以下でなければ（ステップＳ６１６のＮ）、ステップＳ６１４及びＳ６１６の処理を再び行う。一方、処理部１００は、競技者２の位置と位置Ｐ３との距離が閾値以下であれば（ステップＳ６１６のＹ）、競技者２の状態を「バイク」から「トランジション２」に変更する（ステップＳ６１８）。次に、処理部１００は、ＧＰＳセンサー１１０から測位データ（位置情報）を取得し（ステップＳ６２０）、取得した位置情報と、登録されている位置Ｐ４とに基づき、競技者２の位置と位置Ｐ４との距離が閾値以下であるか否かを判定する（ステップＳ６２２）。処理部１００は、競技者２の位置と位置Ｐ４との距離が閾値以下でなければ（ステップＳ６２２のＮ）、ステップＳ６２０及びＳ６２２の処理を再び行う。一方、処理部１００は、競技者２の位置と位置Ｐ４との距離が閾値以下であれば（ステップＳ６２２のＹ）、競技者２の状態を「トランジション２」から「ラン」に変更する（ステップＳ６２４）。
【０１９０】
また、例えば、上記の実施形態の映像配信システム１は、トライアスロン競技の映像を配信するが、ウィンタートライアスロン（スノーラン⇒スノーバイク⇒クロスカントリースキー）、デュアスロン（第１ラン⇒バイク⇒第２ラン）、アクアスロン（ラン⇒スイム、あるいは、第１ラン⇒スイム⇒第２ラン）、バイアスロン（クロスカントリースキー⇒ライフル射撃）等、複数の競技種目を含む任意の競技の映像を配信してもよい。例えば、競技者端末３の処理部１００は、ウィンタートライアスロンにおいて、競技者２がスノーランを実施中であることの判定には上述したラン判定処理を適用可能であり、競技者２がスノーバイクを実施中であることの判定には上述したバイク判定処理を適用可能である。また、競技者２がスノーランからスノーバイクへの移行中であることは上述したトランジション１判定処理を適用可能であり、競技者２がスノーバイクからクロスカントリーへの移行中であることは上述したトランジション２判定処理を適用可能である。また、一般に、クロスカントリースキーにおいて、登りや平地では、競技者２がストックで地面を突くため、加速度センサー１１３の出力信号や角速度センサー１１４の出力信号の波形が急峻なピークを有し、競技者２の走行速度（移動速度）は所定の速度範囲（例えば、２０ｋｍ／ｈ以下）であり、競技者２の腕が常に大気中にあるため温度センサー１１６が気温を検出する。また、下りでは、競技者２の走行速度（移動速度）は高速（例えば、２０ｋｍ／ｈ以上）であり、高度が継続的に低下するため、ＧＰＳセンサー１１０が生成して出力する測位データ（位置情報）の高度を示す座標や圧力センサー１１２が検出する気圧が継続的に低下し、競技者２の腕が常に大気中にあるため温度センサー１１６が気温を検出する。従って、競技者端末３の処理部１００は、ＧＰＳセンサー１１０、圧力センサー１１２、加速度センサー１１３、角速度センサー１１４、温度センサー１１６の少なくとも１つの出力信号に基づき、競技者２がクロスカントリースキーを実施中であることを判定することができる。
【０１９１】
また、例えば、上記の実施形態において、各種のセンサー（ＧＰＳセンサー１１０、地磁気センサー１１１、圧力センサー１１２、加速度センサー１１３、角速度センサー１１４、脈拍センサー１１５、温度センサー１１６）の少なくとも一部は、競技者端末３と一
体化されていなくてもよい。
【０１９２】
また、例えば、上記の実施形態において、データ収集装置４又は情報端末５の機能の一部が競技者端末３に搭載されてもよいし、競技者端末３の機能の一部がデータ収集装置４又は情報端末５に搭載されてもよい。また、例えば、データ収集装置４の機能の一部が映像生成装置８に搭載されてもよいし、映像生成装置８の機能の一部がデータ収集装置４に搭載されてもよい。
【０１９３】
また、例えば、上記の実施形態において、競技者端末３には、公知のスマートフォンの機能、例えば、カメラ機能、通話機能、通信機能などが搭載されてもよいし、他のセンシング機能（湿度センサーなど）が搭載されてもよい。また、例えば、競技者端末３は、リスト型の電子機器以外にも、イヤホン型電子機器、指輪型電子機器、ペンダント型電子機器、スポーツ器具に装着して使用する電子機器、スマートフォン、ヘッドマウントディスプレイ（ＨＭＤ：Head Mounted Display）など、様々なタイプの電子機器として構成することができる。また、競技者端末３は、競技者２の運動状況を解析することが可能な位置に装着されていればよく、手首以外にも、例えば、腕、腰、胸、足等に装着されてもよい。
【０１９４】
また、例えば、上記の各実施形態では、競技者端末３は、ＧＰＳ衛星からの衛星信号を用いて各種の処理を行っているが、ＧＰＳ以外の全地球航法衛星システム（ＧＮＳＳ：Global Navigation Satellite System）の測位用衛星やＧＮＳＳ以外の測位用衛星からの衛星信号を用いてもよい。例えば、ＷＡＡＳ（Wide Area Augmentation System）、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）等の衛星測位システムのうち１つ、あるいは２つ以上のシステムの衛星からの衛星信号を利用してもよい。
【０１９５】
上述した各実施形態および各変形例は一例であって、これらに限定されるわけではない。例えば、各実施形態および各変形例を適宜組み合わせることも可能である。
【０１９６】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１９７】
１…映像配信システム、２…競技者、３…競技者端末、４…データ収集装置、５…情報端末、６…ネットワーク、７…ＧＰＳ衛星、８…映像生成装置、９…表示機器、１０…カメラ、１００…処理部、１１０…ＧＰＳセンサー、１１１…地磁気センサー、１１２…圧力センサー、１１３…加速度センサー、１１４…角速度センサー、１１５…脈拍センサー、１１６…温度センサー、１２０…操作部、１３０…計時部、１４０…記憶部、１５０…表示部、１６０…音出力部、１７０…通信部、１８０…バッテリー、２００…処理部、２０１…運動情報取得部、２０２…映像コンテンツ情報生成部、２１０…通信部、２２０…記憶部、２３０…記録媒体、２３１…映像コンテンツ情報生成プログラム、３００…処理部、３０１…映像情報取得部、３０２…選択情報生成部、３０３…映像コンテンツ情報取得部、３０４…映像生成部、３１０…通信部、３２０…通信部、３３０…記憶部、３４０…記録媒体、３４１…映像生成プログラム、４００…映像、４０１，４０２，４０３…動画
像、４０４…選手選択ウィンドウ、４０５…選手選択ボタン、４０６…スクロールバー、４０７…選手識別表示ボタン、４０８…Ｍａｐ情報ボタン、４０９…疲労度グラフボタン、４１０…映像、４１１…マップ情報ウィンドウ、４２０…映像、４２１…疲労度グラフウィンドウ、４３０…映像、４３１…動画像、４３２…コスチューム情報ボタン、４３３…トレンド情報選択ウィンドウ、４３４…運動状況選択ボタン、４３５…スクロールバー、４３６…トレンド情報表示ウィンドウ、４４０…映像、４４１…動画像、４４２…コスチューム情報表示ウィンドウ、４４３…推奨情報表示ウィンドウ
【図１】
2018098573.tif 000003
【図２】
2018098573.tif 000004
【図３】
2018098573.tif 000005
【図４】
2018098573.tif 000006
【図５】
2018098573.tif 000007
【図６】
2018098573.tif 000008
【図７】
2018098573.tif 000009
【図８】
2018098573.tif 000010
【図９】
2018098573.tif 000011
【図１０】
2018098573.tif 000012
【図１１】
2018098573.tif 000013
【図１２】
2018098573.tif 000014
【図１３】
2018098573.tif 000015
【図１４】
2018098573.tif 000016
【図１５】
2018098573.tif 000017
【図１６】
2018098573.tif 000018
【図１７】
2018098573.tif 000019
【図１８】
2018098573.tif 000020
【図１９】
2018098573.tif 000021
【図２０】
2018098573.tif 000022
【図２１】
2018098573.tif 000023
【図２２】
2018098573.tif 000024
【図２３】
2018098573.tif 000025
【図２４】
2018098573.tif 000026
【図２５】
2018098573.tif 000027
【図２６】
2018098573.tif 000028
【図２７】
2018098573.tif 000029
【図２８】
2018098573.tif 000030